(57)【特許請求の範囲】
【請求項１】
遊技が可能な遊技機であって、
前記遊技機に固定されたベース部材と、
前記ベース部材に対し移動可能に設けられ、駆動手段の駆動により移動する移動部材と、
前記ベース部材に設けられた案内部と、
前記移動部材に設けられ、該移動部材の移動に応じて前記案内部における第１位置と該第１位置とは異なる第２位置との間で変位可能に案内される被案内部と、
前記移動部材の移動に応じて前記被案内部が前記第１位置と前記第２位置との間を変位することにより態様が変化する演出装置と、
前記移動部材の移動に応じて前記被案内部が前記第２位置から前記第１位置へ変位したときに、前記移動部材または前記被案内部が当接して該移動部材の移動を規制する移動規制部と、
前記移動部材または前記被案内部が前記移動規制部に当接した際に生じる反発力により該被案内部が前記第１位置から前記第２位置側に変位することを妨げる防止手段と、
表示装置と、
を備え、
前記防止手段は、
前記案内部において前記第２位置側から前記第１位置側へ向けて上方に傾斜するように
延設される第１傾斜部と、
前記案内部において前記第１傾斜部から前記第１位置へ向けて下方に傾斜するように延
設される第２傾斜部と、
を含み、
前記被案内部が前記第２位置から前記第１位置へ変位する際において、前記第１傾斜部
により上方へ案内することで変位速度を低減した後、前記第２傾斜部により下方へ案内し
て前記第１位置まで変位させ、
前記演出装置は、前記被案内部が前記第２位置にあるときに、少なくとも一部が前記表示装置に対し前後方向に重畳する
ことを特徴とする遊技機。
【発明の詳細な説明】
【技術分野】
【０００１】
本発明は、遊技が可能な遊技機に関する。
【背景技術】
【０００２】
パチンコ遊技機やスロットマシン等の遊技機では、例えば遊技に関連する演出画像を表示するための表示装置が設けられているとともに、このような表示装置の近傍に、モータやソレノイド等の駆動源により駆動する可動物（いわゆる役物）が該表示装置の前方を上下・左右方向に移動可能に設けられ、表示装置による演出画像の表示と可動物の可動とを連動させること等により演出の向上を図るもの等が提案されている。
【０００３】
また、このような可動物を駆動する可動役物ユニットとして、一端が揺動可能に軸支された支持レバーをモータの駆動により揺動させることにより、該支持レバーの先端に軸支された可動物を、ケース内に収納される第１位置とケース外に突出する第２位置との間で移動可能とし、また、支持レバーに設けられたストッパ片を第１位置と第２位置とにおいてケースに設けられた突壁に当接させることにより回動範囲を規制するとともに、可動物に設けられたガイド当接部をケースに設けられたガイド溝内を摺動させることにより可動物が移動案内されるようにしたもの等がある（例えば、特許文献１参照）。
【先行技術文献】
【特許文献】
【０００４】
【特許文献１】特開２０１０−７５６１７号公報（第１３−１５頁、第７図）
【発明の概要】
【発明が解決しようとする課題】
【０００５】
しかし、上記特許文献１に記載の可動役物ユニットでは、支持レバーに設けられたストッパ片が突壁に当接することにより回動規制されるので、可動物が第１位置に位置した際にモータの駆動を停止すると、ストッパ片が突壁に当接した際の衝撃により可動物が跳ね返って第１位置から離れ、ケース内に退避させるはずの可動物の一部がケース外に飛び出してしまうという不具合があった。
【０００６】
本発明は、このような問題点に着目してなされたもので、演出装置を所定の位置に確実に停止させることができる遊技機を提供することを目的とする。
【課題を解決するための手段】
【０００７】
前記課題を解決するために、本発明の請求項１に記載の遊技機は、
遊技が可能な遊技機であって、
前記遊技機に固定されたベース部材と、
前記ベース部材に対し移動可能に設けられ、駆動手段の駆動により移動する移動部材と、
前記ベース部材に設けられた案内部と、
前記移動部材に設けられ、該移動部材の移動に応じて前記案内部における第１位置と該第１位置とは異なる第２位置との間で変位可能に案内される被案内部と、
前記移動部材の移動に応じて前記被案内部が前記第１位置と前記第２位置との間を変位することにより態様が変化する演出装置と、
前記移動部材の移動に応じて前記被案内部が前記第２位置から前記第１位置へ変位したときに、前記移動部材または前記被案内部が当接して該移動部材の移動を規制する移動規制部と、
前記移動部材または前記被案内部が前記移動規制部に当接した際に生じる反発力により該被案内部が前記第１位置から前記第２位置側に変位することを妨げる防止手段と、
表示装置と、
を備え、
前記防止手段は、
前記案内部において前記第２位置側から前記第１位置側へ向けて上方に傾斜するように延設される第１傾斜部と、
前記案内部において前記第１傾斜部から前記第１位置へ向けて下方に傾斜するように延設される第２傾斜部と、
を含み、
前記被案内部が前記第２位置から前記第１位置へ変位する際において、前記第１傾斜部により上方へ案内することで変位速度を低減した後、前記第２傾斜部により下方へ案内して前記第１位置まで変位させ、
前記演出装置は、前記被案内部が前記第２位置にあるときに、少なくとも一部が前記表示装置に対し前後方向に重畳する
ことを特徴としている。
本発明の手段１の遊技機は、
遊技用価値（遊技球）を用いて遊技を行うことが可能な遊技機（パチンコ遊技機１）であって、
前記遊技機に設けられるベース部材（８０１／１８０１／２８０１）と、
前記ベース部材に対し移動可能に設けられ、所定の駆動手段（役物モータ６７、駆動ギヤ８０８、従動ギヤ８１３）の駆動により移動する移動部材（アーム８１０、取付部材８
０４／アーム１８０５、取付部材１８０７／移動部材２８０９、連結棒２８１０）と、
前記ベース部材及び前記移動部材のうち一方に設けられた案内部（ガイド溝８２０／１
８１４／２８１４）と、
前記ベース部材及び前記移動部材のうち他方に設けられ、前記移動部材の移動に応じて前記案内部における第１位置（第１位置Ａ’）と該第１位置とは異なる第２位置（第２位置Ｂ’）との間で変位可能に案内される被案内部（ガイド軸８２１／１８１３／２８１３
）と、  前記移動部材の移動に応じて前記被案内部が前記第１位置と前記第２位置との間を変位することにより態様が変化（退避位置Ａと突出位置Ｂとの間で移動）する演出装置（可動役物ユニット８００の役物８０２／可動役物ユニット１８００の役物１８０２（図２５参照）／可動役物ユニット２８００の役物２８０２（図２６参照））と、
前記移動部材の移動に応じて前記被案内部が前記第２位置から前記第１位置に変位したときに、前記移動部材または前記被案内部が当接して該移動部材の移動を規制する移動規制部（ベース部材のストッパ片８２４／ガイド軸１８１３／ガイド溝２８１４）と、を備え、
前記案内部は、前記第１位置近傍に、前記移動部材または前記被案内部が前記移動規制部に当接した際に生じる反発力により該被案内部が前記第１位置から前記第２位置側に変位することを妨げる防止手段（第１ガイド部８２０ａの第１傾斜面８３０、第２ガイド部
８２０ｂの第２傾斜面８３１／湾曲部１８１４ｂ／湾曲部２８１４ｂ）が設けられている
、
ことを特徴としている。
この特徴によれば、防止手段が設けられていることで、被案内部が第１位置に到達した際に移動部材または被案内部が移動規制部に当接することで生じる反発力により、該被案内部が第１位置から第２位置側に移動、つまり逆戻りすることが防止され、第１位置から第２位置側にずれた位置に停止されることを回避できる。また、移動部材の移動に応じて変位する被案内部を案内する案内部を利用して跳ね返りを防止するので、被案内部を第１位置にて確実に停止させることができる。
【０００８】
本発明の手段２の遊技機は、請求項１、手段１のいずれかに記載の遊技機であって、
前記防止手段は、前記移動部材（アーム８１０、取付部材８０４／アーム１８０５、取付部材１８０７／移動部材２８０９、連結棒２８１０）または前記被案内部が前記移動規制部（ベース部材のストッパ片８２４／ガイド軸１８１３／ガイド溝２８１４）に当接した後に、前記被案内部（ガイド軸８２１／１８１３／２８１３）が前記第１位置（第１位置Ａ’）から前記第２位置（第２位置Ｂ’）側に変位することを妨げる第１阻害部（第１ガイド部８２０ａの第１傾斜面８３０／湾曲部１８１４ｂ／湾曲部２８１４ｂ）にて構成される、
ことを特徴としている。
この特徴によれば、移動部材または被案内部が移動規制部に当接した際に反発力が生じても、第１阻害部により被案内部の逆移動が妨げられるので、被案内部が第１位置から第
２位置側にずれた位置に停止されることを回避できる。
【０００９】
本発明の手段３の遊技機は、請求項１、手段１、手段２のいずれかに記載の遊技機であって、
前記防止手段は、前記移動部材（アーム８１０、取付部材８０４／アーム１８０５、取付部材１８０７／移動部材２８０９、連結棒２８１０）または前記被案内部が前記移動規制部に当接する前に、前記被案内部（ガイド軸８２１／１８１３／２８１３）が前記第２位置（第２位置Ｂ’）側から前記第１位置（第１位置Ａ’）側に変位することを妨げる第
２阻害部（第２ガイド部８２０ｂの第２傾斜面８３１／湾曲部１８１４ｂ／湾曲部２８１
４ｂ）にて構成される、
ことを特徴としている。
この特徴によれば、被案内部が第１位置に到達する前に第１位置側への移動が第２阻害部により妨げられることにより被案内部の移動速度が抑制され、これにより移動規制部に当接した際に生じる反発力が小さくなるため、被案内部が第１位置から第２位置側にずれた位置に停止されることを回避できる。
【００１０】
本発明の手段４の遊技機は、請求項１、手段１〜３のいずれかに記載の遊技機であって、
前記案内部は、前記被案内部（ガイド軸８２１／１８１３／２８１３）を第１方向に移動案内する第１案内溝（第２ガイド部８２０ｂ、第３ガイド部８２０ｃ／直線部１８１４ａ、２８１４ａ）及び該第１案内溝から連設され前記第１位置近傍において前記被案内部を前記第１方向と交差する第２方向（第１ガイド部８２０ａの長手方向）に移動案内する第２案内溝（第１ガイド部８２０ａ／湾曲部１８１４ｂ、２８１４ｂ）を含む案内溝（ガイド溝８２０／１８１４／２８１４）から構成され、
前記防止手段は、前記第２案内溝にて構成されている、
ことを特徴としている。
この特徴によれば、第１位置近傍にて被案内部の移動方向が変換されることにより、第１位置に到達する直前で被案内部の移動速度が低減されるばかりか、第１位置に到達した後に被案内部が第２案内溝から第１案内溝に移動されにくくなるため、案内溝を所定の形状に形成するだけで防止手段を簡単に構成できる。
【００１１】
本発明の手段５の遊技機は、請求項１、手段１〜４のいずれかに記載の遊技機であって、
前記防止手段は、前記案内部（ガイド溝１９１０）における前記被案内部（ガイド軸１
９０１）との接触部（内周面）に形成された凹凸部（複数の弾性係止片からなる弾性部材
１９１１、図２７（ｂ）参照））にて構成される、
ことを特徴としている。
この特徴によれば、被案内部が凹凸部に接触しながら通過するだけで摩擦抵抗が生じるので、防止手段を容易に形成することができる。
【００１２】
本発明の手段６の遊技機は、請求項１、手段１〜５のいずれかに記載の遊技機であって、
前記演出装置は、前記移動部材（アーム８１０、取付部材８０４／アーム１８０５、取付部材１８０７／移動部材２８０９、連結棒２８１０）の移動に応じて前記被案内部（ガイド軸８２１／１８１３／２８１３）が前記第１位置（第１位置Ａ’）と前記第２位置（第２位置Ｂ’）との間を変位することにより、前記第１位置に対応する第１対応位置（退避位置Ａ）と前記第２位置に対応する第２対応位置（突出位置Ｂ）との間で移動する移動部（可動役物ユニット８００の役物８０２／可動役物ユニット１８００の役物１８０２（図２５参照）／可動役物ユニット２８００の役物２８０２（図２６参照））を有し、
前記移動部は、前記第１対応位置において前記遊技機（パチンコ遊技機１）に設けられた構造物（装飾部材２５Ｒ）により遊技者から視認不能に隠蔽される（図１参照）、
ことを特徴としている。
この特徴によれば、被案内部が第１位置近傍にて防止手段により変位が妨げられることにより移動部が第１対応位置において不自然な動きをする場合でも、構造物により隠蔽されることにより遊技者に違和感を与えることを回避できる。
【００１３】
本発明の手段７の遊技機は、請求項１、手段１〜６のいずれかに記載の遊技機であって、
前記移動部材（アーム８１０）は、前記ベース部材（８０１）に対して一端を中心として揺動可能に支持されたアーム（アーム８１０）を含み、
前記駆動手段は、
駆動モータ（役物モータ６７）と、
前記駆動モータの出力軸に固着された駆動ギヤ（８０８）と、
前記アームの一端に固着され、前記駆動ギヤに噛合する従動ギヤ（８１３）と、を含む
、
ことを特徴としている。
この特徴によれば、駆動モータの駆動によりアームが所定の回動範囲内を一定速度で往復揺動する場合でも、被案内部を第１位置にて確実に停止させることができる。
【００１４】
本発明の手段８の遊技機は、請求項１または手段１〜７のいずれかに記載の遊技機であって、
前面に遊技領域（７）が形成された遊技盤（６）を備え、
該遊技盤は、
前記合成樹脂板（盤面板２００）と、
所定の厚み幅寸法（Ｐ１＝約１ｃｍ）を有し、前記合成樹脂板（盤面板２００）を取り付ける取付面（スペーサ部材２５０の前面２５０ａ）が設けられたスペーサ部材（２５０
）と、から構成され、
前記スペーサ部材の取付面に突設され、前記合成樹脂板の厚み幅寸法（Ｐ１）よりも長寸（Ｐ３）の凸部（取付用ボス２６０ｃ，２６０ｆ）と、
前記合成樹脂板における前記凸部に対応する位置に形成され、前記取付面に取り付けられたときに前記凸部が挿通される貫通穴（挿通穴２０７ｃ，２０７ｆ）と、
前記取付面の裏面（スペーサ部材２５０の背面２５０ｂ）における前記凸部に対応する位置に形成され、前記凸部が嵌合可能な大きさ（内径）を有する凹部（嵌合凹部２６４ｃ
，２６４ｆ）と、
を備える｛取付用ボス２６０ｃ，２６０ｆの外径Ｌ６よりも嵌合凹部２６４ｃ，２６４ｆの内径Ｌ７の方が大きい（図９参照）｝、
ことを特徴としている。
この特徴によれば、一の遊技盤の合成樹脂板の表面と他の遊技盤の取付面の裏面とが対向するように複数の遊技盤を積み重ねたときに、下方の遊技盤の合成樹脂板の表面から突出した凸部が上方の遊技盤の凹部に嵌合されることで、下方の遊技盤に対する上方の遊技盤の横滑りが規制されて滑落が防止されるため、複数の遊技盤を安定して積み重ねることができる。
また、スペーサ部材の取付面に合成樹脂板を取り付けたときに、上方の遊技盤の横滑りを規制する凸部が貫通穴に挿通されて取付面に対する合成樹脂板の取付位置が決定されるため、取付面に対する合成樹脂板の位置ずれを防止できる。
尚、前記凹部は、前記スペーサ部材の裏面を凹設することにより形成されるものであってもよいし、前記スペーサ部材に形成した穴部と前記合成樹脂板の裏面とにより形成されるものであってもよい。
【００１５】
本発明の手段９の遊技機は、手段８に記載の遊技機であって、
前記凸部（取付用ボス２６０ｃ，２６０ｆ）は、前記取付面（スペーサ部材２５０の前面２５０ａ）に複数設けられ、
前記凹部（嵌合凹部２６４ｃ，２６４ｆ）は、前記取付面の裏面（スペーサ部材２５０の背面２５０ｂ）における複数の前記凸部それぞれに対応する位置に設けられている（図
９参照）、
ことを特徴としている。
この特徴によれば、複数の遊技盤を積み重ねたときに複数箇所で凸部が凹部に嵌合することにより、下方の遊技盤に対する上方の遊技盤の水平回転が規制されて下方の遊技盤に対する上方の遊技盤の向きが決定されるため、複数の遊技盤を積み重ねる際の安定性が向上するばかりか、積み重ねられた遊技盤に何らかの衝撃が加わった場合にその衝撃が複数の凸部及び凹部に分散されるため、凸部や凹部の損傷が防止される。
【００１６】
本発明の手段１０の遊技機は、手段８または手段９に記載の遊技機であって、
前記凸部（取付用ボス２６０ｃ，２６０ｆ）及び前記凹部（嵌合凹部２６４ｃ，２６４ｆ）は横断面非円形状（多角形状、楕円形状等）に形成されている、
ことを特徴としている。
この特徴によれば、複数の遊技盤を積み重ねたときに横断面非円形状の凸部が凹部に嵌合することにより、下方の遊技盤に対する上方の遊技盤の水平回転が規制されて下方の遊技盤に対する上方の遊技盤の向きが決定されるため、複数の遊技盤を積み重ねる際の安定性が向上する。
【００１７】
本発明の手段１１の遊技機は、手段８〜手段１０のいずれかに記載の遊技機であって、
前記凸部（取付用ボス２６０ｃ，２６０ｆ）における前記合成樹脂板の表面（遊技盤面
２００ａ）からの突出長さ寸法（Ｐ４）を、前記凹部の深さ寸法（Ｐ５）よりも長寸（Ｐ
４＞Ｐ５）とした（図９中拡大図参照）、
ことを特徴としている。
この特徴によれば、凸部が凹部に嵌合したときに、下方の遊技盤の合成樹脂板の表面と上方の遊技盤の取付面の裏面との間に隙間が形成されるため、合成樹脂板の表面の損傷や破損が防止される。
【００１８】
本発明の手段１２の遊技機は、手段８〜手段１１のいずれかに記載の遊技機であって、
前記スペーサ部材は、前記取付面の周縁所定箇所に係止部が突設され、
前記スペーサ部材（２５０）は、前記取付面（スペーサ部材２５０の前面２５０ａ）の周縁（側辺）所定箇所に係止部（弾性係止爪２７０ａ〜２７０ｄ）が突設され、
前記合成樹脂板（盤面板２００）は、前記係止部に対応する側面に前記係止部が係止される被係止部（係止段部２２０ａ〜２２０ｄ）が形成され、
前記係止部の突出長さ寸法（Ｐ１０）を、前記合成樹脂板の厚み幅寸法（Ｐ１）よりも短寸（Ｐ１０＜Ｐ１）とした（図１０参照）、
ことを特徴としている。
この特徴によれば、取付面に合成樹脂板を配置することにより係止部が被係止部に係止されて合成樹脂板の取付面からの離脱が防止されるため、合成樹脂板を取付面に簡単に取り付けることができる。また、係止部は合成樹脂板の表面に形成される遊技領域に影響が及ばない合成樹脂板の側面に係止されるばかりか、係止状態において係止部の先端が合成樹脂板の表面から突出することがないので、複数の遊技盤を積み重ねたときに係止部が上方の遊技盤に接触して破損することが防止される。
【００１９】
本発明の手段１３の遊技機は、請求項１または手段１〜手段１２のいずれかに記載の遊技機であって、
前面に遊技領域（７）が形成された遊技盤（６）を備え、
該遊技盤は、
前記合成樹脂板（盤面板２００）と、
所定の厚み幅寸法（Ｐ１＝約１ｃｍ）を有し、前記合成樹脂板を取り付ける取付面（スペーサ部材２５０の前面２５０ａ）が設けられたスペーサ部材（２５０）と、から構成され、
前記合成樹脂板の表面（遊技盤面２００ａ）上に配設され、前記遊技領域（７）と非遊技領域（遊技領域７の周囲）とを区画するレール部材（外レール飾り６００ａ〜６００ｃ
，第２レール５０２、第３レール５０３、第４レール５０４）と、
前記レール部材から前記合成樹脂板の反対側に向けて突設される凸部（前端部６０４）と、
前記取付面の裏面（スペーサ部材２５０の背面２５０ｂ）における前記凸部に対応する位置に形成され、前記凸部が嵌合可能な大きさを有する凹部（略Ｃ字形の係合段部２６７
）と、
を備える（図１４参照）、
ことを特徴としている。
この特徴によれば、一の遊技盤の合成樹脂板の表面と他の遊技盤の取付面の裏面とが対向するように、合成樹脂板の表面上にレール部材が配設された複数の遊技盤を積み重ねたときに、下方の遊技盤のレール部材から突出した凸部が上方の遊技盤の凹部に嵌合されることで、下方の遊技盤に対する上方の遊技盤の横滑りが規制されて滑落が防止されるため
、複数の遊技盤を安定して積み重ねることができる。
尚、前記凹部は、前記スペーサ部材の裏面を凹設することにより形成されるものであってもよいし、前記スペーサ部材に形成した穴部と前記合成樹脂板の裏面とにより形成されるものであってもよい。
【００２０】
本発明の手段１４の遊技機は、手段１３に記載の遊技機であって、
前記レール部材（外レール飾り６００ａ〜６００ｃ）から前記合成樹脂板（２００）に向けて突設され、該レール部材を前記合成樹脂板の表面（遊技盤面２００ａ）上に固定するための固定突部（位置決めピン６６０）と、
前記合成樹脂板の表面に形成され、前記固定突部が嵌合する固定嵌合部（位置決め穴２
０９）と、を備え、
前記固定突部を前記固定嵌合部に嵌合した状態において、前記レール部材における前記合成樹脂板の表面側の縁辺部（Ｈ）と該合成樹脂板の表面との間に隙間が形成される｛外レール飾り６００ａの内壁６０３ａの縁辺部Ｈに切欠凹溝ＫＭを形成して隙間を形成する
。（図１４参照）｝、
ことを特徴としている。
この特徴によれば、複数の遊技盤を積み重ねたときに下方の遊技盤のレール部材が上方の遊技盤のスペーサ部材に接触したとしても、レール部材の合成樹脂板の表面側の縁辺部と合成樹脂板の表面とが擦れて削れた粉が合成樹脂板の表面に付着して汚れることがない
。
【００２１】
本発明の手段１５の遊技機は、手段１３または手段１４に記載の遊技機であって
、
前記取付面（スペーサ部材２５０の前面２５０ａ）に突設され、前記レール部材（外レール飾り６００ａ〜６００ｃ）の取付部を取り付けるための被取付部（取付用ボス２６０ａ，２６０ｃのネジ穴２０６ｋ）と、
前記合成樹脂板における前記被取付部に対応する位置に形成され、該合成樹脂板が前記取付面に取り付けられたときに前記被取付部が挿通される貫通穴（２０７ｃ，２０７ｆ）と、
を備え、
前記貫通穴に挿通された前記被取付部に前記レール部材の取付部を取り付けた状態において、該レール部材における前記合成樹脂板の表面側の縁辺部と該合成樹脂板の表面との間に隙間が形成される｛外レール飾り６００ａの内壁６０３ａの縁辺部に切欠凹溝ＫＭを形成して隙間を形成する（図１４参照）、外レール飾り６００ａの外壁６０３ｂの縁辺部
Ｈを遊技盤面２００ａから離間させて隙間を形成する（図１４参照）｝、
ことを特徴としている。
この特徴によれば、複数の遊技盤を積み重ねたときにレール部材にかかる上方の遊技盤の荷重がスペーサ部材にて受支されて合成樹脂板にかかる負荷が軽減されるため、合成樹脂板の破損や損傷が防止されるばかりか、レール部材の合成樹脂板の表面側の縁辺部と合成樹脂板の表面とが擦れて、削れた粉が合成樹脂板の表面に付着して汚れることがない。
【００２２】
本発明の手段１６の遊技機は、手段１３〜手段１５のいずれかに記載の遊技機であって、
前記遊技領域（７）に設けられ、前記レール部材（外レール飾り６００ａ〜６００ｃ）における前記凸部（前端部６０４）までの高さ寸法（Ｐ１５）よりも長寸の高さ寸法（Ｐ
２０）を有する障害釘（Ｋ）と、
前記スペーサ部材（２５０）における前記遊技領域に対応する箇所に形成される開口部
（２５１）と、前記取付面（スペーサ部材２５０の前面２５０ａ）に前記合成樹脂板（２００）を取り付けたときに該合成樹脂板の裏面（スペーサ部材２５０の背面２５０ｂ）と前記開口部とにより形成され、前記障害釘を収容可能な大きさを有する逃げ部（凹状の収容空間部）と
、
を備え、
前記レール部材の高さ寸法（Ｐ１５）と前記逃げ部の深さ寸法（Ｐ２２）との合算寸法
（Ｐ１５＋Ｐ２２）を、前記障害釘の高さ寸法（Ｐ２０）よりも長寸（Ｐ１５＋Ｐ２２＞
Ｐ２０）とした（図１４参照）、
ことを特徴としている。
この特徴によれば、遊技領域に障害釘を配設した状態で複数の遊技盤を積み重ねたときに、下方の遊技盤の障害釘が上方の遊技盤のスペーサ部材に形成された逃げ部に入り込むことにより障害釘とスペーサ部材との干渉が回避されるため、障害釘が屈曲するなどして遊技媒体の流下に支障をきたす虞がない。
【００２３】
本発明の手段１７の遊技機は、手段１３〜手段１６のいずれかに記載の遊技機であって、
前記凸部（前端部６０４）における前記レール部材（外レール飾り６００ａ〜６００ｃ）からの突出長さ寸法（Ｐ１６）を、前記凹部（係合段部２６７）の深さ寸法（Ｐ１７）よりも長寸（Ｐ１６＞Ｐ１７）とした（図１４参照）、
ことを特徴としている。
この特徴によれば、凸部が凹部に嵌合したときに、下方の遊技盤の合成樹脂板の表面と上方の遊技盤の取付面の裏面との間に隙間が形成されるため、合成樹脂板の表面の損傷や破損が防止される。
【図面の簡単な説明】
【００２４】
【図１】パチンコ遊技機を示す正面図である。
【図２】パチンコ遊技機を示す背面図である。
【図３】主基板における回路構成の一例を示すブロック図である。
【図４】パチンコ遊技機を開放した状態を示す斜視図である。
【図５】遊技盤ユニットを示す分解斜視図である。
【図６】遊技盤を示す分解斜視図である。
【図７】スペーサ部材を示す背面図である。
【図８】複数の遊技盤を積み重ねた状態を示す斜視図である。
【図９】図８のＥ−Ｅ断面図である。
【図１０】図８のＦ−Ｆ断面図である。
【図１１】遊技盤の前面側に対する各種部材の取り付け状況を示す斜視図である。
【図１２】遊技盤の前面に各種部材が取り付けられた状態を示す正面図である。
【図１３】各種部材が取り付けられた複数の遊技盤を積み重ねた状態を示す斜視図である。
【図１４】図１３のＲ−Ｒ断面図である。
【図１５】（ａ）は図１３の要部拡大斜視図、（ｂ）は図１３のＳ−Ｓ断面図である。
【図１６】遊技盤に対する導光板ユニットの取り付け状態を示す斜視図である。
【図１７】可動役物ユニットを示す斜視図である。
【図１８】可動役物ユニットの構造を示す分解斜視図である。
【図１９】可動役物ユニットを示す正面図である。
【図２０】可動役物ユニットを示す背面図である。
【図２１】（ａ）は図１９のＡ−Ａ断面図、（ｂ）は図１９のＢ−Ｂ断面図である。
【図２２】ガイド溝を示す拡大図である。
【図２３】（ａ）は役物が退避位置に位置している状態、（ｂ）は役物が突出位置に向けて移動を開始した直後の状態を示す図である。
【図２４】（ｃ）は役物が突出位置の直前に位置している状態、（ｄ）は役物が突出位置に位置している状態を示す図である。
【図２５】可動役物ユニットの変形例１を示す図である。
【図２６】可動役物ユニットの変形例２を示す図である。
【図２７】（ａ）〜（ｅ）はガイド溝の変形例を示す図である。
【発明を実施するための形態】
【００２５】
本発明の実施例を図面に基づいて以下に説明する。
【実施例】
【００２６】
まず、遊技機の一例であるパチンコ遊技機１の全体の構成について説明する。図１はパチンコ遊技機１を正面からみた正面図である。図２は、パチンコ遊技機を示す背面図である。図３は、主基板における回路構成の一例を示すブロック図である。図４は、パチンコ遊技機を開放した状態を示す斜視図である。
【００２７】
パチンコ遊技機１は、図１、図２及び図４に示すように、縦長の方形枠状に形成された外枠１００と、外枠１００に開閉可能に取り付けられた前面枠１０１と、で主に構成されている。前面枠１０１の前面には、ガラス扉枠１０２及び下扉枠１０３がそれぞれ左側辺を中心に開閉可能に設けられている。
【００２８】
下扉枠１０３の下部表面には打球供給皿（上皿）３がある。打球供給皿３の下部には、打球供給皿３に収容しきれない遊技球を貯留する余剰球受皿４（下皿）や、打球を発射する打球操作ハンドル（操作ノブ）５が設けられている。また、ガラス扉枠１０２の背面には、遊技盤６が前面枠１０１に対して着脱可能に取り付けられている。
【００２９】
遊技盤６は、図４に示すように、遊技領域７が前面に形成された合成樹脂製の盤面板２００と、所定の厚み幅寸法を有し、盤面板２００を取り付ける取付面が前面に設けられたスペーサ部材２５０と、から構成され、該遊技盤６の背面側には、後述する導光板ユニット７００や、演出表示装置９及び演出制御基板８０等を含む変動表示制御ユニット４９等の遊技に関連する遊技用部品が組み付けられる遊技用部品ユニット３００が一体的に組み付けられている（図５参照）。
【００３０】
遊技盤６と遊技用部品ユニット３００とが一体的に組み付けられた遊技盤ユニット４００（図５参照）を前面枠１０１の前面に取り付けるには、遊技盤６の左端部を図中太矢印に示すように、前面枠１０１に形成された縦長長方形状の開口部１１５の左上下位置に設けられた係止凹部１１６ａ，１１６ｂに、遊技盤６の左端部を差し込んだ状態で、右端部を盤押え金具６９２，６９３で係止することにより取り付けられるようになっている。係止凹部１１６ａ，１１６ｂには後述する盤押えバネ６９０，６９１が設けられており、係止凹部１１６ａ，１１６ｂに係止された遊技盤６の前後のガタツキが防止されている。盤面板２００が取り付けられた状態において、該遊技盤６の背面に設けられた遊技用部品ユニット３００が開口部１１５を介して前面枠１０１の背面側に臨むようになっている。
【００３１】
図１に戻って、遊技領域７の中央付近には、それぞれが演出用の飾り図柄（演出図柄）を可変表示する複数の可変表示部を含む演出表示装置（飾り図柄表示装置）９が設けられている。演出表示装置９には、例えば「左」、「中」、「右」の３つの可変表示部（図柄表示エリア）がある。演出表示装置９は、第１特別図柄表示器８ａまたは第２特別図柄表示器８ｂによる特別図柄の可変表示期間中に、装飾用（演出用）の図柄としての演出図柄の可変表示を行う。演出図柄の可変表示を行う演出表示装置９は、演出制御基板８０に搭載されている演出制御用マイクロコンピュータによって制御される。
【００３２】
遊技盤６における右側下部位置には、第１識別情報としての第１特別図柄を可変表示する第１特別図柄表示器（第１可変表示手段）８ａが設けられている。この実施例では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、第１特別図柄表示器８ａの上方位置には、第２識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００３３】
この実施例では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて
００〜９９の数字（または、２桁の記号）を可変表示するように構成されていてもよい。
【００３４】
以下、第１特別図柄と第２特別図柄とを特別図柄と総称することがあり、第１特別図柄表示器８ａと第２特別図柄表示器８ｂとを特別図柄表示器と総称することがある。
【００３５】
第１特別図柄の可変表示は、可変表示の実行条件である第１始動条件が成立（例えば、遊技球が第１始動入賞口１３ａに入賞したこと）した後、可変表示の開始条件（例えば、保留記憶数が０でない場合であって、第１特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。また、第２特別図柄の可変表示は、可変表示の実行条件である第２始動条件が成立（例えば、遊技球が第２始動入賞口１３ｂに入賞したこと）した後、可変表示の開始条件（例えば、保留記憶数が０でない場合であって、第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００３６】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合せが停止表示される。
【００３７】
演出表示装置９の下方には、第１始動入賞口１３ａを有する入賞装置が設けられている。第１始動入賞口１３ａに入賞した遊技球は、遊技盤６の背面に導かれ、第１始動口スイッチ１４ａ（例えば、近接スイッチ）及び第１入賞確認スイッチ１４ｂ（例えば、フォトセンサ）によって検出される。
【００３８】
また、第１始動入賞口（第１始動口）１３ａを有する入賞装置の下側には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１５ａ及び入賞確認スイッチ１５ｂによって検出される。可変入賞球装置１５は、ソレノイド１６によって開状態とされる。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。なお、可変入賞球装置１５が閉状態になっている状態において、入賞はしづらいものの、入賞することは可能である（すなわち、遊技球が入賞しにくい）ように構成されていてもよい。
【００３９】
また、第１始動口スイッチ１４ａと第１入賞確認スイッチ１４ｂの検出結果及び第２始動口スイッチ１５ａと第２入賞確認スイッチ１５ｂの検出結果にもとづいて異常入賞の発生の有無が判定され、異常入賞の発生を検出したことにもとづいてセキュリティ信号が外部出力される。
【００４０】
以下、第１始動入賞口１３ａと第２始動入賞口１３ｂとを総称して始動入賞口または始動口ということがある。
【００４１】
可変入賞球装置１５が開放状態に制御されているときには可変入賞球装置１５に向かう遊技球は第２始動入賞口１３ｂに極めて入賞しやすい。そして、第１始動入賞口１３ａは演出表示装置９の直下に設けられているが、演出表示装置９の下端と第１始動入賞口１３ａとの間の間隔をさらに狭めたり、第１始動入賞口１３ａの周辺で釘を密に配置したり、第１始動入賞口１３ａの周辺での釘配列を、遊技球を第１始動入賞口１３ａに導きづらくして、第２始動入賞口１３ｂの入賞率の方を第１始動入賞口１３ａの入賞率よりもより高くするようにしてもよい。
【００４２】
第２特別図柄表示器８ｂの上部には、第１始動入賞口１３ａに入った有効入賞球数すなわち第１保留記憶数（保留記憶を、始動記憶または始動入賞記憶ともいう。）を表示する第１特別図柄保留記憶表示部と、該第１特別図柄保留記憶表示部とは別個に設けられ、第２始動入賞口１３ｂに入った有効入賞球数すなわち第２保留記憶数を表示する第２特別図柄保留記憶表示部と、が設けられた例えば７セグメントＬＥＤからなる特別図柄保留記憶表示器１８が設けられている。第１特別図柄保留記憶表示部は、第１保留記憶数を入賞順に４個まで表示し、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、第２保留記憶数を入賞順に４個まで表示し、有効始動入賞がある毎に、点灯する表示器の数を１増やす。そして、第２特別図柄表示器８ｂでの可変表示が開始される毎に、点灯する表示器の数を１減らす。なお、この例では、第１始動入賞口１３ａへの入賞による始動記憶数及び第２始動入賞口１３ｂへの入賞による始動記憶数に上限数（４個まで）が設けられているが、上限数を４個以上にしてもよい
。
【００４３】
また、演出表示装置９の表示画面には、第１保留記憶数を表示する第１保留記憶表示部（図示略）と、第２保留記憶数を表示する第２保留記憶表示部（図示略）とが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【００４４】
なお、この実施例では、図１に示すように、第２始動入賞口１３ｂに対してのみ開閉動作を行う可変入賞球装置１５が設けられているが、第１始動入賞口１３ａおよび第２始動入賞口１３ｂのいずれについても開閉動作を行う可変入賞球装置が設けられている構成であってもよい。
【００４５】
また、図１に示すように、可変入賞球装置１５の下方には、特別可変入賞球装置２０が設けられている。特別可変入賞球装置２０は大入賞口扉を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって大入賞口扉が開放状態に制御されることによって、入賞領域となる大入賞口が開放状態になる。大入賞口に入賞した遊技球はカウントスイッチ２３で検出される。
【００４６】
カウントスイッチ２３によって遊技球が検出されたことに基づき、所定個数（例えば１５個）の遊技球が賞球として払い出される。こうして、特別可変入賞球装置２０において開放状態となった大入賞口を遊技球が通過（進入）したときには、例えば第１始動入賞口１３ａや第２始動入賞口１３ｂといった、他の入賞口を遊技球が通過（進入）したときよりも多くの賞球が払い出される。したがって、特別可変入賞球装置２０において大入賞口が開放状態となれば、遊技者にとって有利な第１状態となる。その一方で、特別可変入賞球装置２０において大入賞口が閉鎖状態となれば、大入賞口に遊技球を通過（進入）させて賞球を得ることができないため、遊技者にとって不利な第２状態となる。
【００４７】
第１特別図柄表示器８ａの右側には、普通図柄表示器１０が設けられている。普通図柄表示器１０は、例えば２つのランプからなる。遊技球がゲート３２を通過しゲートスイッチ３２ａで検出されると、普通図柄表示器１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０の下側のランプが点灯して当りである場合に、可変入賞球装置１５が所定回数、所定時間だけ開状態になる。すなわち、可変入賞球装置１５の状態は、下側のランプが点灯して当りである場合に、遊技者にとって不利な状態から有利な状態（第２始動入賞口１３ｂに遊技球が入賞可能な状態）に変化する。特別図柄保留記憶表示器１８の上部には、ゲート３２を通過した入賞球数を表示する４つの表示部（例えば、７セグメントＬＥＤのうち４つのセグメント）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
【００４８】
なお、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
【００４９】
特別可変入賞球装置２０の周辺には普通入賞装置の入賞口２９ａ〜２９ｄが設けられ、入賞口２９ａ，２９ｃに入賞した遊技球は入賞口スイッチ３０ａによって検出され、入賞口２９ｂ，２９ｄに入賞した遊技球は入賞口スイッチ３０ｂによって検出される。各入賞口２９ａ〜２９ｄは、遊技球を受け入れて入賞を許容する領域として遊技盤６に設けられる入賞領域を構成している。なお、第１始動入賞口１３ａ、第２始動入賞口１３ｂや大入賞口も、遊技球を受け入れて入賞を許容する入賞領域を構成する。
【００５０】
第１始動入賞口１３ａ内には、始動入賞口内に入賞した遊技球を検出可能な２つのスイッチ（第１始動口スイッチ１４ａと第１入賞確認スイッチ１４ｂ）が設けられている。この実施例では、第１始動入賞口１３ａ内で、第１始動口スイッチ１４ａと第１入賞確認スイッチ１４ｂとが上下に配置されている（本例では、第１始動口スイッチ１４ａが上側に配置され、第１入賞確認スイッチ１４ｂが下側に配置されている）。従って、この実施例では、第１始動入賞口１３ａ内に入賞した遊技球は、遊技盤６の背面に導かれ、まず第１始動口スイッチ１４ａで検出され、次いで第１入賞確認スイッチ１４ｂで検出される。
【００５１】
また、第２始動入賞口１３ｂ内には、始動入賞口内に入賞した遊技球を検出可能な２つのスイッチ（第２始動口スイッチ１５ａと第２入賞確認スイッチ１５ｂ）が設けられている。この実施例では、第２始動入賞口１３ｂ内で、第２始動口スイッチ１５ａと第２入賞確認スイッチ１５ｂとが上下に配置されている（本例では、第２始動口スイッチ１５ａが上側に配置され、第２入賞確認スイッチ１５ｂが下側に配置されている）。従って、この実施例では、第２始動入賞口１３ｂ内に入賞した遊技球は、遊技盤６の背面に導かれ、まず第２始動口スイッチ１５ａで検出され、次いで第２入賞確認スイッチ１５ｂで検出される。
【００５２】
また、大入賞口内には、大入賞口内に入賞した遊技球を検出可能な２つのスイッチ（カウントスイッチ２３と第３入賞確認スイッチ２３ａ）が設けられている。この実施例では、大入賞口内で、カウントスイッチ２３と第３入賞確認スイッチ２３ａとが配置されている（本例では、カウントスイッチ２３が上側に配置され、第３入賞確認スイッチ２３ａが下側に配置されている）。従って、この実施例では、大入賞口内に入賞した遊技球は、遊技盤６の背面に導かれ、まずカウントスイッチ２３で検出され、次いで第３入賞確認スイッチ２３ａで検出される。
【００５３】
また、第１始動口スイッチ１４ａと第１入賞確認スイッチ１４ｂ、第２始動口スイッチ
１５ａと第２入賞確認スイッチ１５ｂ、カウントスイッチ２３と第３入賞確認スイッチ２３ａとして、それぞれ異なる検出方式のスイッチが用いられる。この実施例では、第１始動口スイッチ１４ａ、第２始動口スイッチ１５ａおよびカウントスイッチ２３として近接スイッチを用い、第１入賞確認スイッチ１４ｂ、第２入賞確認スイッチ１５ｂ、第３入賞確認スイッチ２３ａとしてフォトセンサを用いている。
【００５４】
また、第１始動口スイッチ１４ａによって遊技球が検出されたことにもとづいて、第１特別図柄の変動表示が開始され、賞球払出が実行される。また、第２始動口スイッチ１５ａによって遊技球が検出されたことにもとづいて、第２特別図柄の変動表示が開始され、賞球払出が実行される。また、カウントスイッチ２３によって遊技球が検出されたことにもとづいて、賞球払出が実行される。また、第１始動口スイッチ１４ａによる検出結果に加えて第１入賞確認スイッチ１４ｂの検出結果にもとづいて異常入賞の発生の有無が判定され、異常入賞の発生を検出したことにもとづいてセキュリティ信号が外部出力される。また、第２始動口スイッチ１５ａによる検出結果に加えて第２入賞確認スイッチ１５ｂの検出結果にもとづいて異常入賞の発生の有無が判定され、異常入賞の発生を検出したことにもとづいてセキュリティ信号が外部出力される。また、カウントスイッチ２３による検出結果に加えて第３入賞確認スイッチ２３ａの検出結果にもとづいて異常入賞の発生の有無が判定され、異常入賞の発生を検出したことにもとづいてセキュリティ信号が外部出力される。従って、第１入賞確認スイッチ１４ｂ、第２入賞確認スイッチ１５ｂ、第３入賞確認スイッチ２３ａは、異常入賞の判定のみに用いられる。
【００５５】
このように、第１始動口スイッチ１４ａ、第２始動口スイッチ１５ａ、カウントスイッチ２３は近接スイッチを用いて構成し、第１〜第３入賞確認スイッチ１４ｂ，１５ｂ，２３ａはフォトセンサを用いているが、第１始動口スイッチ１４ａと第１入賞確認スイッチ
１４ｂ、第２始動口スイッチ１５ａと第２入賞確認スイッチ１５ｂ、カウントスイッチ２３と第３入賞確認スイッチ２３ａの検出方式はこの実施例で示したものにかぎらず、例えば、第１，２始動口スイッチ１４ａ，１５ａ及びカウントスイッチ２３と、第１〜３入賞確認スイッチ１４ｂ，１５ｂ，２３ａとで異なる検出方式であれば、逆に第１，２始動口スイッチ１４ａ，１５ａ及びカウントスイッチ２３としてフォトセンサを用い、第１〜３入賞確認スイッチ１４ｂ，１５ｂ，２３ａとして近接スイッチを用いてもよい。この場合、フォトセンサである第１，２始動口スイッチ１４ａ，１５ａ及びカウントスイッチ２３の検出結果にもとづいて特別図柄の変動表示や賞球払出処理が実行され、近接スイッチである第１〜３入賞確認スイッチ１４ｂ，１５ｂ，２３ａの検出結果は、第１始動入賞口１３ａ、第２始動入賞口１３ｂ、大入賞口の異常入賞の判定のみに用いられることになる。また、例えば、電磁式のスイッチである近接スイッチや光学式のフォトセンサに代えて、第１，２始動口スイッチ１４ａ，１５ａ及びカウントスイッチ２３または第１〜３入賞確認スイッチ１４ｂ，１５ｂ，２３ａとして、機械式のスイッチ（マイクロスイッチなど）を用いてもよい。
【００５６】
また、この実施例では、特別図柄の変動表示や賞球払出処理の実行の契機となる第１，２始動口スイッチ１４ａ，１５ａカウントスイッチ２３は、異常入賞の判定に用いられる第１〜３入賞確認スイッチ１４ｂ，１５ｂ，２３ａよりも上流側に設けられていたが、異常入賞の判定に用いられるスイッチの下流側に設けてもよい。
【００５７】
そして遊技制御用マイクロコンピュータ５６０は、第１始動口スイッチ１４ａ（近接スイッチ）から入力した検出信号と第１入賞確認スイッチ１４ｂ（フォトセンサ）から入力した検出信号とにもとづいて、第１始動口スイッチ１４ａにて検出された遊技球数と第１入賞確認スイッチ１４ｂにて検出された遊技球数との差が所定の閾値を超えた（本例では、１５以上となった）と判定すると、所定のエラーとして、第１始動入賞口１３ａへの異常入賞が発生したと判定する。また、第２始動口スイッチ１５ａ（近接スイッチ）から入力した検出信号と第２入賞確認スイッチ１５ｂ（フォトセンサ）から入力した検出信号とにもとづいて、第２始動口スイッチ１５ａにて検出された遊技球数と第２入賞確認スイッチ１５ｂにて検出された遊技球数との差が所定の閾値を超えた（本例では、１５以上となった）と判定すると、所定のエラーとして、第２始動入賞口１３ｂへの異常入賞が発生したと判定する。また、カウントスイッチ２３（近接スイッチ）から入力した検出信号と第３入賞確認スイッチ２３ａ（フォトセンサ）から入力した検出信号とにもとづいて、カウントスイッチ２３にて検出された遊技球数と第３入賞確認スイッチ２３ａにて検出された遊技球数との差が所定の閾値を超えた（本例では、５以上となった）と判定すると、所定のエラーとして、大入賞口への異常入賞が発生したと判定する。
【００５８】
このように、第１始動口スイッチ１４ａと第１入賞確認スイッチ１４ｂ、第２始動口スイッチ１５ａと第２入賞確認スイッチ１５ｂ、カウントスイッチ２３と第３入賞確認スイッチ２３ａと、を互いに異なる検出方式のセンサ（本例では、近接スイッチとフォトセンサ）により構成していることで、例えば電磁波などを用いて第１始動入賞口１３ａ、第２始動入賞口１３ｂ、大入賞口への入賞数が実際の入賞数よりも多くなるように認識させるような不正行為が行われた場合に、近接スイッチにて検出された遊技球数とフォトスイッチにて検出された遊技球数とに差が生じ、遊技制御用マイクロコンピュータ５６０はこの差球数が所定の閾値を超えた場合に異常入賞が発生したと判定するため、確実な不正行為対策を講ずることができる。
【００５９】
遊技領域７の左右周辺には、遊技中に点滅表示される装飾ＬＥＤ２５ａを有する装飾部材２５Ｌ，２５Ｒが設けられ、下部には、入賞しなかった遊技球を吸収するアウト口２６がある。また、遊技領域７の外側の左右上下部には、効果音を発する４つのスピーカ２７が設けられている。遊技領域７の外周には、天枠ランプ２８ａ、左枠ランプ２８ｂおよび右枠ランプ２８ｃが設けられている。天枠ランプ２８ａ、左枠ランプ２８ｂおよび右枠ランプ２８ｃおよび装飾ＬＥＤ２５ａは、遊技機に設けられている装飾発光体の一例である
。
【００６０】
また、演出表示装置９の周囲には、表示画面の周囲を装飾するセンター枠飾り１１が設けられており、このセンター枠飾り１１の上部には、後述する導光板７０１の端面に光を出射するセンター枠飾りＬＥＤ６２ａ〜６２ｄ（図３参照）が設けられている。また、演出表示装置９の右側には、後述する役物ユニット８００が設けられている。
【００６１】
図１および図２では、図示を省略しているが、左枠ランプ２８ｂの近傍に、賞球払出中に点灯する賞球ランプが設けられ、天枠ランプ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。さらに、特に図示はしないが、プリペイドカードが挿入されることによって球貸しを可能にするプリペイドカードユニット（以下、
「カードユニット」という。）５０が、パチンコ遊技機１に隣接して設置されている。
【００６２】
遊技者の操作により、後述する打球発射装置５５０（図２参照）から発射された遊技球は、発射球案内通路（図示略）を通って遊技領域７に入り、その後、遊技領域７を下りてくる。遊技球が第１始動入賞口１３ａに入り第１始動口スイッチ１４ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３ａへの入賞に対応する。第１特別図柄の可変表示を開始できる状態でなければ、第１保留記憶数が上限値に達していないことを条件として、第１保留記憶数を１増やす。
【００６３】
遊技球が第２始動入賞口１３ｂに入り第２始動口スイッチ１５ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１３ｂへの入賞に対応する。第２特別図柄の可変表示を開始できる状態でなければ、第２保留記憶数が上限値に達していないことを条件として、第２保留記憶数を１増やす。
【００６４】
第１特別図柄表示器８ａにおける第１特別図柄の可変表示及び第２特別図柄表示器８ｂにおける第２特別図柄の可変表示は、一定時間が経過したときに停止する。停止時の特別図柄（停止図柄）が大当り図柄（特定表示結果）であると「大当り」となり、停止時の特別図柄（停止図柄）が大当り図柄とは異なる所定の小当り図柄（所定表示結果）であると「小当り」となり、停止時の特別図柄（停止図柄）が大当り図柄及び小当り図柄とは異なる特別図柄が停止表示されれば「ハズレ」となる。
【００６５】
特図ゲームでの可変表示結果が「大当り」になった後には、遊技者にとって有利なラウンド（「ラウンド遊技」ともいう）を所定回数実行する特定遊技状態としての大当り遊技状態に制御される。また、特図ゲームでの可変表示結果が「小当り」になった後には、大当り遊技状態とは異なる小当り遊技状態に制御される。
【００６６】
この実施例では、特図ゲームにおける確定特別図柄が「非確変」または「確変Ａ」に対応する大当り図柄が停止表示された場合には、多ラウンド特定遊技状態としての第１大当り状態（１５ラウンド大当り状態）に移行する。大当り遊技状態（通常１５ラウンド大当り状態）では、特別可変入賞球装置２０の大入賞口扉が、第１期間となる所定期間（例えば２９．５秒間）あるいは所定個数（例えば８個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。１５ラウンド大当り状態では、大入賞口の開放サイクルであるラウンドの実行回数が、第１ラウンド数（例えば「１５」）となる。ラウンドの実行回数が「１５」となる１５ラウンド大当り状態における遊技は、１５回開放遊技とも称される。このような１５ラウンド大当り状態では、大入賞口に遊技球が入賞するたびに１５個の出玉（賞球）が得られる。なお、１５ラウンド大当り状態は、第１特定遊技状態ともいう。
【００６７】
特図ゲームにおける確定特別図柄として「確変Ｂ」に対応する大当り図柄が停止表示された場合には、多ラウンド特定遊技状態としての第２大当り状態（高速１５ラウンド大当り状態）に移行する。第２大当り状態では、特別可変入賞球装置２０の大入賞口扉が、第１大当り状態における第１期間よりも短い第２期間（例えば０．５秒間）あるいは所定個数（例えば３個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。第２大当り状態では、大入賞口の開放サイクルであるラウンドの実行回数が、第２ラウンド数（例えば「１５」）となる。
【００６８】
このような第２大当り状態では、大入賞口に遊技球が入賞すれば１５個の出玉（賞球）が得られるが、大入賞口の開放期間が第２期間（０．５秒間）であって、非常に短い。そのため、第２大当り状態は実質的には出玉（賞球）が得られない大当り遊技状態である。なお、第２大当り状態は第２特定遊技状態ともいう。また、第２大当り状態は、第１大当り状態に比べてラウンドの実行回数が少ないものであってもよい。すなわち、第２大当り状態は、各ラウンドで大入賞口を開放状態に変化させる期間が第１大当り状態における第１期間よりも短い第２期間となることと、ラウンドの実行回数が第１大当り状態における第１ラウンド数よりも少ない第２ラウンド数となることのうち、少なくともいずれか一方となるものであってもよい。
【００６９】
また、「非確変」に対応する大当り図柄が特図ゲームにおける確定特別図柄として停止表示されたことに基づき第１大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回）の特図ゲームが実行されることと、可変表示結果が「大当り」となることのうち、いずれかの条件が先に成立したときに、終了すればよい。このように「非確変」に対応する大当り図柄特別図柄のように、特図ゲームにおける確定特別図柄として停止表示されたことに基づく第１大当り状態が終了した後に時短状態に制御される大当り図柄は、非確変大当り図柄（「通常大当り図柄」ともいう）と称される。また、大当り図柄のうち非確変大当り図柄が停止表示されて可変表示結果が「大当り
」となることは、「非確変大当り」（「通常大当り」ともいう）と称される。
【００７０】
「確変Ａ」に対応する大当り図柄が特図ゲームにおける確定特別図柄として停止表示されたことに基づき第１大当り状態が終了した後や、確変状態において「確変Ｂ」に対応する大当り図柄が特図ゲームにおける確定特別図柄として停止表示されたことに基づき第２大当り状態が終了した後には、時短状態とは異なる特別遊技状態の１つとして、例えば通常状態に比べて特図変動時間が短縮される時短制御とともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続する。
【００７１】
こうした「確変Ａ」に対応する大当り図柄のように、特図ゲームにおける確定特別図柄として停止表示されたことに基づく第１大当り状態が終了した後に確変状態に制御される大当り図柄は、確変大当り図柄と称される。また、「確変Ｂ」に対応する大当り図柄のように、特図ゲームにおける確定特別図柄として停止表示されたことに基づく大当り遊技状態が終了した後に確変状態に制御される大当り図柄は、突確大当り図柄と称される。また、大当り図柄のうち確変大当り図柄が停止表示されて可変表示結果が「大当り」となることは、「確変大当り」と称される。突確大当り図柄が停止表示されて可変表示結果が「大当り」となることは、「突確大当り」（「突確大当り」ともいう）と称される。なお、これら大当り図柄は任意であり、例えば、遊技者に大当り図柄であることや、大当り種別を認識されないようにするために、大当り図柄を数字とせずに予め定められた記号等にしてもよい。
【００７２】
「小当り」に対応する特別図柄が特図ゲームにおける確定特別図柄として停止表示された後には、小当り遊技状態に制御される。この小当り遊技状態では、第２大当り状態と同様に特別可変入賞球装置２０において大入賞口を遊技者にとって有利な第１状態（開放状態）に変化させる可変入賞動作が行われる。すなわち、小当り遊技状態では、例えば特別可変入賞球装置２０を第２期間にわたり第１状態（開放状態）とする動作が、第２回数｛第２ラウンド数に等しい実行回数（本例では、１５回）｝に達するまで繰り返し実行される。なお、小当り遊技状態では、第２大当り状態と同様に、特別可変入賞球装置２０を第１状態とする期間が第２期間となることと、第１状態とする動作の実行回数が第２回数となることのうち、少なくともいずれか一方が行われるように制御されればよい。小当り遊技状態が終了した後には、遊技状態の変更が行われず、可変表示結果が「小当り」となる以前の遊技状態に継続して制御されることになる。ただし、可変表示結果が「小当り」となる特図ゲームが実行されたときに、特別遊技状態における特図ゲームの実行回数が所定回数に達していれば、小当り遊技状態の終了後には、特別遊技状態が終了して通常状態となることがある。可変入賞動作により特別可変入賞球装置２０を第１状態とする回数が「
１５」である小当り遊技状態における遊技は、第２大当り状態における遊技と同様に、１５回開放遊技とも称される。なお、第２大当り状態における各ラウンドで特別可変入賞球装置２０とは別個に設けられた入賞球装置を第１状態に変化させる場合には、小当り遊技状態でも、第２大当り状態と同様の態様で、その入賞球装置を第１状態に変化させるようにすればよい。
【００７３】
確変状態や時短状態では、普通図柄表示器１０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく可変入賞球装置１５における可動翼片の傾動制御を行う傾動制御時間を通常状態のときよりも長くする制御、その傾動回数を通常状態のときよりも増加させる制御といった、遊技球が第２始動入賞口１３ｂを通過（進入）しやすくして第２始動条件が成立する可能性を高めることで遊技者にとって有利となる制御が行われる。なお、確変状態や時短状態では、これらの制御のいずれか１つが行われるようにしてもよいし、複数の制御が組み合せられて行われるようにしてもよい。このように、確変状態や時短状態において第２始動入賞口１３ｂに遊技球が進入しやすくして遊技者にとって有利となる制御は、高開放制御ともいう。高開放制御が行われることにより、第２始動入賞口１３ｂは、高開放制御が行われていないときよりも拡大開放状態となる頻度が高められる。これにより、第２特別図柄表示器８ｂにおける第２特図を用いた特図ゲームを実行するための第２始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。また、高開放制御期間であるときには、遊技状態が高ベース中であるともいう。これに対して、高開放制御期間でないときには、遊技状態が低ベース中であるともいう。この実施例における時短状態は、低確高ベース状態とも称される遊技状態であり、通常状態は、低確低ベース状態とも称される遊技状態であり、高開放制御期間ではない確変状態である潜伏確変状態は高確低ベース状態とも称される遊技状態である。
【００７４】
また、この実施例では、通常状態において「確変Ｂ」に対応する「突確大当り」となったことに基づく第２大当り状態の終了後には、確変制御のみが行われて時短制御や高開放制御が行われない第２確変制御（潜伏確変状態）へ移行する。また、確変状態において「突確大当り」となったことに基づく第２大当り状態の終了後には、確変制御とともに時短制御や高開放制御が行われる第１確変状態へ移行する。
【００７５】
このように確変状態のうちには、確変制御とともに時短制御や高開放制御が行われるものの他に、確変制御のみが行われて時短制御や高開放制御が行われないもの（潜伏確変）が含まれていてもよい。また、例えば、特図ゲームにける可変表示結果が「確変大当り」となったことに基づく第１大当り状態の終了後には、確変制御とともに時短制御や高開放制御が行われる第１確変状態（高確高ベース状態ともいう）に制御され、その後、特図表示結果が「大当り」となることなく、特図ゲームの実行回数が所定回数（例えば７０回）に達したときには、確変制御は継続して行われるものの、時短制御や高開放制御が終了して行われなくなる第２確変状態（高確低ベース状態ともいう）に制御されるようにしてもよい。
【００７６】
また、この実施例では、確変状態であるときに特図ゲームにおける可変表示結果が「突確大当り」となったことに基づく第２大当り状態の終了後には第２確変状態（潜伏確変状態）へと移行するようになっていたが、確変状態だけでなく、時短状態であるときに特図ゲームにおける可変表示結果が「突確大当り」となったことに基づく第２大当り状態の終了後にも第１確変状態へと移行するようにしてもよい。あるいは、「確変大当り」に基づく第１大当り状態の終了後には、再び特図表示結果が「大当り」となるまで第１確変状態に制御される一方、「突確大当り」に基づく第２大当り状態の終了後には、第１確変状態に移行して、特図表示結果が「大当り」となることなく特図ゲームの実行回数が所定回数に達したときに第２確変状態へと移行するようにしてもよい。時短制御と高開放制御は、それらの開始と終了が同時に（連動して）行われる一方で、確変制御の開始と終了は、時短制御や高開放制御の開始や終了と必ずしも連動するものでなくてもよい。
【００７７】
演出表示装置９に設けられた「左」、「中」、「右」の飾り図柄表示エリアでは、第１特別図柄表示器８ａにおける第１特図を用いた特図ゲームと、第２特別図柄表示器８ｂにおける第２特図を用いた特図ゲームとのうち、いずれかの特図ゲームが開始されることに対応して、飾り図柄の可変表示（変動表示）が開始される。そして、飾り図柄の可変表示が開始されてから「左」、「中」、「右」の各飾り図柄表示エリアにおける確定飾り図柄の停止表示により可変表示が終了するまでの期間では、飾り図柄の可変表示状態が所定のリーチ状態となることがある。ここで、リーチ状態とは、演出表示装置９の表示領域にて仮停止表示された飾り図柄が大当り組み合せの一部を構成しているときに未だ仮停止表示もされていない飾り図柄（「リーチ変動図柄」ともいう）については変動が継続している表示状態、あるいは、全部又は一部の飾り図柄が大当り組み合せの全部又は一部を構成しながら同期して変動している表示状態のことである。具体的には、「左」、「中」、「右」の飾り図柄表示エリアにおける一部（例えば「左」及び「右」の飾り図柄表示エリアなど）では予め定められた大当り組み合せを構成する飾り図柄（例えば「７」の英数字を示す飾り図柄）が仮停止表示されているときに未だ仮停止表示もしていない残りの飾り図柄表示エリア（例えば「中」の飾り図柄表示エリアなど）では飾り図柄が変動している表示状態、あるいは、「左」、「中」、「右」の飾り図柄表示エリアにおける全部又は一部で飾り図柄が大当り組み合せの全部又は一部を構成しながら同期して変動している表示状態である。
【００７８】
次に、パチンコ遊技機１の背面の構造について図２を参照して説明する。図２は、遊技機を背面から見た背面図である。図２に示すように、パチンコ遊技機１の背面側では、演出表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声制御基板７０、ランプドライバ基板３５、および球払出制御を行なう払出制御用マイクロコンピュータ等が搭載された払出制御基板３７等の各種基板が設置されている。なお、遊技制御基板３１は基板収納ケース６５０に収納されている
。
【００７９】
さらに、パチンコ遊技機１背面側には、ＤＣ３０Ｖ、ＤＣ２１Ｖ、ＤＣ１２ＶおよびＤＣ５Ｖ等の各種電源電圧を作成する電源回路が搭載された電源基板９９０やタッチセンサ基板（図示略）が設けられている。電源基板９９０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチ、遊技制御基板３１の遊技制御用マイクロコンピュータ５６０のＲＡＭ５５をクリアするためのクリアスイッチが設けられている。さらに、電源スイッチの内側（基板内部側）には、交換可能なヒューズが設けられている。
【００８０】
なお、この実施例では、主基板３１は遊技盤側に設けられ、払出制御基板３７は遊技枠側に設けられている。このような構成であっても、後述するように、主基板３１と払出制御基板３７との間の通信をシリアル通信で行うことによって、遊技盤を交換する際の配線の取り回しを容易にしている。
【００８１】
なお、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤなどの発光体、スピーカ２７等）を制御する。以下、主基板３１を制御基板に含めて説明を行うことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板をサブ基板ということがある。なお、球払出装置９７は、遊技球を誘導する通路とステッピングモータ等により駆動されるスプロケット等によって誘導された遊技球を上皿や下皿に払い出すための装置であって、払い出された賞球や貸し球をカウントする払出個数カウントスイッチ等もユニットの一部として構成されている。なお、この実施例では、払出検出手段は、払出個数カウントスイッチによって実現され、球払出装置９７から実際に賞球や貸し球が払い出されたことを検出する機能を備える。この場合、払出個数カウントスイッチは、賞球や貸し球の払い出しを１球検出するごとに検出信号を出力する。
【００８２】
パチンコ遊技機１の背面には、各種情報をパチンコ遊技機１の外部に出力するための各端子を備えたターミナル基板１６０が設置されている。ターミナル基板１６０には、例えば、大当り遊技状態の発生を示す大当り情報等の情報出力信号（始動口信号、図柄確定回数１信号、大当り１信号、大当り２信号、大当り３信号、時短信号、セキュリティ信号、賞球信号１、遊技機エラー状態信号）を外部出力するための情報出力端子が設けられている。なお、遊技機エラー状態信号に関しては必ずしもパチンコ遊技機１の外部に出力しなくてもよく、該情報出力端子から、この遊技機エラー状態信号の替わりに遊技枠が開放状態であることを示すドア開放信号等を出力するようにしてもよい。
【００８３】
貯留タンク３８に貯留された遊技球は誘導レールを通り、カーブ樋を経て払出ケース４０Ａで覆われた球払出装置９７に至る。球払出装置９７の上方には、遊技媒体切れ検出手段としての球切れスイッチ１８７が設けられている。球切れスイッチ１８７が球切れを検出すると、球払出装置９７の払出動作が停止する。球切れスイッチ１８７が遊技球の不足を検知すると、遊技機設置島に設けられている補給機構からパチンコ遊技機１に対して遊技球の補給が行なわれる。
【００８４】
入賞にもとづく景品としての遊技球や球貸し要求にもとづく遊技球が多数払出されて打球供給皿３が満杯になると、遊技球は、余剰球誘導通路を経て余剰球受皿４に導かれる。さらに遊技球が払出されると、感知レバー（図示略）が貯留状態検出手段としての満タンスイッチ（図示略）を押圧して、貯留状態検出手段としての満タンスイッチがオンする。その状態では、球払出装置内の払出モータの回転が停止して球払出装置の動作が停止するとともに打球発射装置５５０の駆動も停止する。
【００８５】
図３は、主基板（遊技制御基板）３１における回路構成の一例を示すブロック図である
。なお、図３には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施例では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路１５０３が内蔵されている。
【００８６】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。  
【００８７】
また、遊技制御用マイクロコンピュータ５６０には、乱数回路１５０３が内蔵されている。乱数回路１５０３は、特別図柄の可変表示の表示結果により大当りとするか否か判定するための判定用の乱数を発生するために用いられるハードウェア回路である。乱数回路１５０３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００８８】
乱数回路１５０３は、特別図柄の可変表示の表示結果により大当りとするか否か判定するための判定用の乱数を発生するために用いられるハードウェア回路である。乱数回路１５０３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００８９】
乱数回路１５０３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００９０】
また、遊技制御用マイクロコンピュータ５６０は、乱数回路１５０３が更新する数値データの初期値を設定する機能を有している。例えば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行って得られた数値データを、乱数回路１５０３が更新する数値データの初期値として設定する。そのような処理を行うことによって、乱数回路１５０３が発生する乱数のランダム性をより向上させることができる。
【００９１】
遊技制御用マイクロコンピュータ５６０は、第１始動口スイッチ１４ａまたは第２始動口スイッチ１５ａへの始動入賞が生じたときに乱数回路１５０３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００９２】
また、遊技制御用マイクロコンピュータ５６０には、払出制御基板３７（の払出制御用マイクロコンピュータ）や演出制御基板８０（の演出制御用マイクロコンピュータ）とシリアル通信で信号を入出力（送受信）するためのシリアル通信回路１５０５が内蔵されている。なお、払出制御用マイクロコンピュータや演出制御用マイクロコンピュータにも、遊技制御用マイクロコンピュータ５６０とシリアル通信で信号を入出力するためのシリアル通信回路が内蔵されている（図示略）。
【００９３】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや保留記憶数カウンタの値など）と未払出賞球数を示すデータ（具体的には、後述する賞球コマンド出力カウンタの値）は、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施例では、ＲＡＭ
５５の全部が、電源バックアップされているとする。
【００９４】
遊技制御用マイクロコンピュータ５６０のリセット端子には、電源基板からのリセット信号が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。従って、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００９５】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。なお、電源監視回路を電源基板に搭載するのではなく、バックアップ電源によって電源バックアップされる基板（例えば、主基板３１）に搭載するようにしてもよい。また、遊技制御用マイクロコンピュータ５６０の入力ポートには、ＲＡＭの内容をクリアすることを指示するためのクリアスイッチが操作されたことを示すクリア信号が入力される。
【００９６】
また、ゲートスイッチ３２ａ、第１始動口スイッチ１４ａ、第１入賞確認スイッチ１４ｂ、第２始動口スイッチ１５ａ、第２入賞確認スイッチ１５ｂ、カウントスイッチ２３、第３入賞確認スイッチ２３ａおよび各入賞口スイッチ３０ａ，３０ｂからの検出信号を基本回路に与える入力ドライバ回路５８も主基板３１に搭載され、可変入賞球装置１５を開閉するソレノイド１６、特別可変入賞球装置２０を開閉するソレノイド２１と、基本回路からの指令に従って駆動する出力回路５９も主基板３１に搭載され、電源投入時に遊技制御用マイクロコンピュータ５６０をリセットするためのシステムリセット回路（図示せず
）や、大当り遊技状態の発生を示す大当り情報等の情報出力信号を、ターミナル基板１６０を介して、ホールコンピュータ等の外部装置に対して出力する情報出力回路６４も主基板３１に搭載されている。
【００９７】
この実施例では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を可変表示する演出表示装置９との表示制御を行う。
【００９８】
演出制御基板８０は、演出制御用ＣＰＵおよびＲＡＭを含む演出制御用マイクロコンピュータ（図示略）を搭載している。なお、ＲＡＭは外付けであってもよい。演出制御基板８０において、演出制御用ＣＰＵ（図示略）は、内蔵または外付けのＲＯＭ（図示略）に格納されたプログラムに従って動作し、中継基板７７を介して入力される主基板３１からの取込信号（演出制御ＩＮＴ信号）に応じて、入力ドライバおよび入力ポートを介して演出制御コマンドを受信する。また、演出制御用ＣＰＵ（図示略）は、演出制御コマンドにもとづいて、ＶＤＰ（ビデオディスプレイプロセッサ）に演出表示装置９の表示制御を行わせる。
【００９９】
演出制御用ＣＰＵ（図示略）は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ（図示略）は、キャラクタＲＯＭから読み出したデータをＶＤＰに出力する。ＶＤＰは、演出制御用ＣＰＵから入力されたデータにもとづいて表示制御を実行する。
【０１００】
演出制御コマンドおよび演出制御ＩＮＴ信号は、演出制御基板８０において、まず、入力ドライバに入力する。入力ドライバは、中継基板７７から入力された信号を演出制御基板８０の内部に向かう方向にしか通過させない（演出制御基板８０の内部から中継基板７
７への方向には信号を通過させない）信号方向規制手段としての単方向性回路でもある。
【０１０１】
中継基板７７には、主基板３１から入力された信号を演出制御基板８０に向かう方向にしか通過させない（演出制御基板８０から中継基板７７への方向には信号を通過させない）信号方向規制手段としての単方向性回路（図示略）が搭載されている。単方向性回路として、例えばダイオードやトランジスタが使用される。さらに、単方向性回路であるＩ／Ｏポート部を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。
【０１０２】
さらに、演出制御用ＣＰＵ（図示略）は、出力ポート（図示略）を介してランプドライバ基板３５に対してＬＥＤを駆動する信号を出力する。また、演出制御用ＣＰＵは、出力ポートを介して音声制御基板７０に対して音番号データを出力する。また、演出制御用ＣＰＵ（図示略）は、出力ポート（図示略）を介して役物モータ６７を駆動する信号を出力するとともに、入力ポート（図示略）を介して役物スイッチ６８からの検出信号を入力する。
【０１０３】
ランプドライバ基板３５において、ＬＥＤを駆動する信号は、入力ドライバ（図示略）を介してＬＥＤドライバに入力される。ＬＥＤドライバは、駆動信号を天枠ＬＥＤ２８ａ
、左枠ＬＥＤ２８ｂ、右枠ＬＥＤ２８ｃ、センター枠飾りＬＥＤ６２ａ〜６２ｄ、役物ＬＥＤ６３、後述する第１導光板ＬＥＤ６０ａ〜６０ｔ、第２導光板ＬＥＤ６１ａ〜６１ｆなどの枠側に設けられている各ＬＥＤに供給する。また、遊技盤側に設けられている装飾ＬＥＤ２５ａに駆動信号を供給する。なお、ＬＥＤ以外の発光体が設けられている場合には、それを駆動する駆動回路（ドライバ）がランプドライバ基板３５に搭載される。
【０１０４】
音声制御基板７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ２７に出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
【０１０５】
次に、本実施例のパチンコ遊技機１の構造について、図面にもとづいて説明する。図５は、遊技盤ユニットを示す分解斜視図である。図６は、遊技盤を示す分解斜視図である。図７は、スペーサ部材を示す背面図である。図８は、複数の遊技盤を積み重ねた状態を示す斜視図である。図９は、図８のＥ−Ｅ断面図である。図１０は、図８のＦ−Ｆ断面図である。
【０１０６】
（遊技盤ユニット）
図５に示すように、遊技盤ユニット４００は、遊技盤６と、該遊技盤６の背面側に配置される導光板ユニット７００と、遊技盤６の背面側に配置され、遊技盤６を背面側から装飾する装飾体３０１と、装飾体３０１の背面に取り付けられ、演出表示装置９及び演出制御基板８０等を含む変動表示制御ユニット４９と、から主に構成されている。
【０１０７】
導光板ユニット７００は、アクリル樹脂、ポリカーボネート樹脂、メタクリル樹脂等の透明な合成樹脂材（透光性材）にて形成される導光板７０１と、該導光板７０１の周囲に装着される取付枠７０２と、から主に構成される。取付枠７０２内には、複数の第１導光板ＬＥＤ６０ａ〜６０ｔ、第２導光板ＬＥＤ６１ａ〜６１ｆ（図４参照）が配設されており、該ＬＥＤからの光を導光板７０１の周端面に入射させるとともに、該入射した光を該導光板７０１の背面に形成された反射部にて反射させて前面側に出射させることで、導光板７０１を光により装飾するようになっている。
【０１０８】
装飾体３０１は、後述するように透明に形成される遊技盤６の遊技領域７を背面側から装飾する立体状に形成された装飾部材であって、前後方向に所定幅の板厚を有し、前方の遊技盤６の背面に着脱可能に取り付けられ、取り付けられた状態において、遊技盤６を透して遊技者から視認可能とされる。装飾体３０１の前面は、特に詳細な図示はしないが非平坦面状に形成され、奥行き感のある立体装飾部とされている。また、遊技盤６の主に下部側に設けられる各種表示装置（例えば第１特別図柄表示器８ａ、第２特別図柄表示器８ｂ等）、駆動手段（ソレノイド１６，２１等）、ＬＥＤ、各種スイッチ（例えば第１始動口スイッチ１４ａ、第２始動口スイッチ１５ａ、カウントスイッチ２３等）から延出される配線は、遊技盤６の背面と装飾体３０１の前面との間から側方に引き出される。
【０１０９】
装飾体３０１の略中央位置には、背面側に配設される演出表示装置９の表示面を視認可能とするための開口部３０３が形成されている。
【０１１０】
装飾体３０１や変動表示制御ユニット４９だけでなく、他の装置や基板等の遊技に関連する複数の遊技用部品が一体的に組み付けられてなる遊技用部品ユニット３００は、後述するように遊技盤６に対して着脱可能に取り付けられる。なお、装飾体３０１の詳細な構造については後述することとする。
【０１１１】
（遊技盤）
図６〜図９に示すように、遊技盤６は、アクリル樹脂、ポリカーボネート樹脂、メタクリル樹脂等の透明な合成樹脂材（透光性材）にて四角状に形成される盤面板２００と、該盤面板２００の背面２００ｂ側に一体的に取り付けられるスペーサ部材２５０と、から主に構成される。盤面板２００の厚み幅寸法Ｐ１（図９参照）は約１ｃｍ程度であり、全体が透明に形成されている。なお、本実施例では盤面板２００全体が透明に形成されているが、当該盤面板２００の前面側からその背面側に配設される装飾体３０１を透視可能な透光性を有していれば、半透明であってもよいし、着色されていてもよい。また、全体が透光性を有していなくても、少なくとも遊技領域７の一部に透光部が形成されていればよい
。
【０１１２】
盤面板２００には、背面側に配設される演出表示装置９の表示面を前面側に臨ませるとともに、センター枠飾り１１（図１参照）が取り付けられる取付穴２０１と、可変入賞球装置１５（図１参照）が取り付けられる取付穴と、特別可変入賞球装置２０（図１参照）が取り付けられる取付穴とが一体化された取付穴２０３と、アウト口２６（図１参照）を形成するアウト口穴２０４と、ゲート３２（図１参照）が取り付けられる左右の取付穴２０５，２０５と、各入賞口２９ａ〜２９ｄを構成する入賞口部材が取り付けられる開口２
０６ａ〜２０６ｄと、がそれぞれ前後方向に貫通して形成されている。
【０１１３】
各取付穴２０１〜２０６の周囲前面には、各部材を取り付けるためのネジが螺入されるネジ穴ＴＡが複数箇所に形成されているとともに、後述する第２レール５０２、第３レール５０３、第４レール５０４（図１１参照）が取り付けられる取付穴ＴＢが複数箇所に形成されている。
【０１１４】
また、盤面板２００の周囲には、スペーサ部材２５０から前面側に突設され、後述する外レール飾り６００ａ〜６００ｃを取り付けるための取付ネジが取り付けられるネジ穴が先端に形成された複数の取付用ボス２６０ａ〜２６０ｈ及びスペーサ部材２５０から前面側に突設され、後述する証紙貼付部材６０１（図１１参照）を取り付けるための取付ネジが取り付けられるネジ穴が先端に形成された取付用ボス２６０ｊがそれぞれ挿通される挿通穴２０７ａ〜２０７ｊが、それぞれ対応した位置に前後方向に貫通して形成されている
。
【０１１５】
また、盤面板２００を前面側から見たときにおける左上部、左下部、右上部には、スペーサ部材２５０から前面側に突設される複数の位置決め用ボス２６１ａ〜２６１ｃがそれぞれ嵌合される位置決め穴２０８ａ〜２０８ｃが、それぞれ対応した位置に前後方向に貫通して形成されている。なお、これら以外にも、複数の挿通穴や取付穴等が形成されている。
【０１１６】
また、盤面板２００の側面における四隅近傍位置には、スペーサ部材２５０に形成された弾性係止爪２７０ａ〜２７０ｄがそれぞれ係止される係止段部２２０ａ〜２２０ｄがそれぞれ形成されている。係止段部２２０ａ〜２２０ｄは、盤面板２００の側面における前面側の縁辺部に切欠形成される（図１０参照）。
【０１１７】
スペーサ部材２５０は、外形が盤面板２００と同形に形成された板状部材の中央に開口部２５１が形成されることにより枠状に形成されている。
【０１１８】
詳しくは、図６〜図９に示すように、スペーサ部材２５０は、枠状に形成された背板２５２と、該背板２５２の周縁から前面側に向けて立設された側壁２５３と、背板２５２の開口部２５１の周縁から前面側に向けて立設される内周壁２５４と、背板２５２の前面側における内周壁２５４と側壁２５３とに囲まれた領域に格子状に立設されるリブ２５５と、により構成されている。内周壁２５４及びリブ２５５の高さ幅寸法（前後幅寸法）Ｐ２は約１ｃｍで、側壁２５３の高さ幅寸法（前後幅寸法、約２ｃｍ）Ｐ１の約半分とされており、これら内周壁２５４及びリブ２５５の前端面にて構成される前面２５０ａ上に、盤面板２００がその背面２００ｂを当接するように組み付けられる（図９参照）。そして組み付けられた盤面板２００の側周面の外側に側壁２５３が配置されて該側壁２５３により被覆され、接触や落下による損傷から保護されるようになっている。
【０１１９】
つまり、スペーサ部材２５０は、実質的な板厚である厚み幅寸法Ｐ２（図９参照）は約１ｃｍであり、内周壁２５４及びリブ２５５の前端面にて構成される前面２５０ａにより盤面板２００の取付面が構成されており、該前面２５０ａに配置される盤面板２００によって厚み幅寸法が約２ｃｍの遊技盤６が構成される。
【０１２０】
側壁２５３の四隅近傍には、盤面板２００の側周面に形成された係止段部２２０ａ〜２２０ｄに弾性的に係止される弾性係止爪２７０ａ〜２７０ｄが、前端部から切り溝を切り込むことにより形成されている。
【０１２１】
図６及び図９に示すように、背板２５２の前面側には、前述した取付用ボス２６０ａ〜２６０ｈ，２６０ｊと、位置決め用ボス２６１ａ〜２６１ｃとが、それぞれリブ２５５の交差位から前面側に向けて突設されている。これら取付用ボス２６０ａ〜２６０ｈ，２６０ｊ及び位置決め用ボス２６１ａ〜２６１ｃは、側壁２５３の前端部より若干前面側に突出する長さを有している。そして特に取付用ボス２６０ｃ、２６０ｆに関しては、他の取付用ボス２６０ａ，２６０ｂ、２６０ｄ〜２６０ｈ，２６０ｊ及び位置決め用ボス２６１ａ〜２６１ｃよりも若干長めに形成されており、後述するように組み付けられた盤面板２
００の遊技盤面２００ａよりも前面側に突出するようになっているとともに、ネジ穴２６
０ｋ（図９参照）が上下方向に貫通して形成されている。
【０１２２】
このように構成されたスペーサ部材２５０の前面２５０ａに盤面板２００を配置すると、盤面板２００に形成された各位置決め穴２０８ａ〜２０８ｃ内に位置決め用ボス２６１ａ〜２６１ｃが背面側から嵌合され、スペーサ部材２５０に対する盤面板２００の組み付け位置が決定されるとともに、各挿通穴２０７ａ〜２０７ｈ，２０７ｊ内に取付用ボス２
６０ａ〜２６０ｈ，２６０ｊがそれぞれ挿通され、各取付用ボス２６０ａ〜２６０ｈ，２６０ｊの先端に形成されたネジ穴が、盤面板２００の遊技盤面２００ａ側に臨むことになる。
【０１２３】
また、盤面板２００の背面２００ｂがスペーサ部材２５０の前面２５０ａに当接されると、各弾性係止爪２７０ａ〜２７０ｄが各係止段部２２０ａ〜２２０ｄに弾性的に係止され、スペーサ部材２５０からの盤面板２００の離脱が規制される。このように各弾性係止爪２７０ａ〜２７０ｄが各係止段部２２０ａ〜２２０ｄに弾性的に係止された状態において、各弾性係止爪２７０ａ〜２７０ｄの先端は、盤面板２００の遊技盤面２００ａよりも前面側に突出しないようになっている（図１０参照）。
【０１２４】
図１０には、弾性係止爪２７０ａが係止段部２２０ａに係合された状態が示されている。なお、弾性係止爪２７０ｂ〜２７０ｄ及び係止段部２２０ｂ〜２２０ｄにおいても、弾性係止爪２７０ａ及び係止段部２２０ａと同様に構成されているため、ここでの詳細な説明は省略することとする。
【０１２５】
弾性係止爪２７０ａの基部から先端部までの長さ寸法Ｐ１０は、盤面板２００の厚み幅寸法Ｐ１よりも短寸に形成されているため（Ｐ１０＜Ｐ１）、係止段部２２０ａに弾性係止爪２７０ａが係止された状態において、該弾性係止爪２７０ａの先端部は遊技盤面２００ａから所定幅寸法Ｐ１１分だけ背面側に退避した位置に配置される。よって、弾性係止爪２７０ａの先端は盤面板２００の遊技盤面２００ａよりも前面側に突出することがない
。
【０１２６】
また、弾性係止爪２７０ａの係止片部の長さ寸法Ｐ１２は、盤面板２００の側面における背面側の端縁辺から係止段部２２０ａまでの幅寸法とほぼ同寸に形成され、係止部の長さ寸法Ｐ１３は、係止段部２２０ａの長さ寸法（Ｐ１２＋Ｐ１３）よりも短寸に形成されている。つまり、盤面板２００の背面２００ｂをスペーサ部材２５０の前面２５０ａに当接したときに弾性係止爪２７０ａが係止段部２２０ａに係止されるため、係止状態において盤面板２００がスペーサ部材２５０に対して前後にガタつくことがない。
【０１２７】
このように各弾性係止爪２７０ａ〜２７０ｄを含む側壁２５３の前端部は、組み付けられた盤面板２００の遊技盤面２００ａよりも前面側に突出しない長さに形成されているため、盤面板２００の遊技盤面２００ａよりも前面側に突出して、後述する製造時や保管、搬送時等において各弾性係止爪２７０ａ〜２７０ｄが床面や他の遊技盤６等と接触して破損することが防止される。
【０１２８】
また、前面２５０ａに盤面板２００を配置することにより弾性係止爪２７０ａが係止段部２２０ａに係止されて盤面板２００の前面２５０ａからの離脱が防止されるため、盤面板２００を前面２５０ａに簡単に取り付けることができる。また、弾性係止爪２７０ａは遊技盤面２００ａに形成される遊技領域７に影響が及ばない盤面板２００の側面に係止されるばかりか、係止状態において弾性係止爪２７０ａの先端が遊技盤面２００ａから突出することがないので、複数の遊技盤６を積み重ねたときに弾性係止爪２７０ａの先端が上方の遊技盤６に接触して破損することが防止される。
【０１２９】
また、各位置決め穴２０８ａ〜２０８ｃ内に嵌合された位置決め用ボス２６１ａ〜２６
１ｃ及び各挿通穴２０７ａ〜２０７ｈ，２０７ｊ内に挿通された取付用ボス２６０ａ，２６０ｂ、２６０ｄ〜２６０ｈ，２６０ｊは、盤面板２００の遊技盤面２００ａよりも前面側に突出しないが、取付用ボス２６０ｃ、２６０ｆに関しては、盤面板２００の遊技盤面
２００ａよりも約５ｍｍほど前面側に突出する。
【０１３０】
具体的には、図９に示すように、スペーサ部材２５０の前面２５０ａに突設された取付用ボス２６０ｃ、２６０ｆの突出長さ寸法Ｐ３は、盤面板２００の厚み幅寸法Ｐ１よりも長寸であり、また、盤面板２００の遊技盤面２００ａからの突出長さ寸法Ｐ４は、嵌合凹部２６４ｃ、２６４ｆの深さ寸法Ｐ５よりも長寸（Ｐ４＞Ｐ５）とされている。
【０１３１】
図６に示すように、背板２５２における開口部２５１の下部には、アウト口穴２０４に連通するアウト開口部２６２が形成されている。背板２５２の前面側におけるアウト開口部２６２の周縁にもアウト口リブ２６３が立設され、その前端面が盤面板２００の背面２００ｂにおけるアウト口穴２０４の周縁に当接するようになっており、これにより前後方向に所定幅寸法を有するアウト開口部２６２を構成している。
【０１３２】
図７に示すように、背板２５２の背面２５０ｂにおける取付用ボス２６０ｃ、２６０ｆに対応する箇所には、該取付用ボス２６０ｃ、２６０ｆの先端がそれぞれ嵌合可能な内径（大きさ）を有する円形状の嵌合凹部２６４ｃ、２６４ｆ（図９中拡大図参照）が凹設されており、図９に示すように複数の遊技盤６を上下方向に積み重ねたときに、下方の遊技盤６の取付用ボス２６０ｃ、２６０ｆが嵌合凹部２６４ｃ、２６４ｆに嵌合されるようになっている。つまり、嵌合凹部２６４ｃ、２６４ｆの内径Ｌ７は、取付用ボス２６０ｃ、
２６０ｆの外径Ｌ６よりも大寸に形成されている（図９中拡大図参照）。
【０１３３】
背板２５２における開口部２５１の上部左右側及び下部左右側には、装飾体３０１に設けられた位置決め用ボス３１２ａ，３１２ｂが嵌合可能な円形状の位置決め穴２６５ａ〜２６５ｄが形成されている。詳しくは、背板２５２における位置決め用ボス３１２ａに対応する位置に位置決め穴２６５ａが設けられ、位置決め用ボス３１２ｂに対応する位置に位置決め穴２６５ｂが設けられている。なお、本実施例では位置決め穴２６５ｃ，２６５ｄは使用されないが、スペーサ部材２５０を複数の機種に共通して使用する場合において、例えば装飾ユニットの前面下部に突設された位置決め用ボスが嵌合可能な位置決め穴として用いることができるようになっている。また、開口部２５１の上部および下部の左右側には、装飾体３０１を取り付けるためのネジ穴２６６ａ〜２６６ｄが形成されている。
【０１３４】
これら位置決め穴２６５ａ〜２６５ｄのうち、背面側から見て右上及び右下の位置決め穴２６５ａ，２６５ｄの内径Ｌ１は、背面側から見て左上及び左下の位置決め穴２６５ｂ
，２６５ｃの内径Ｌ２よりも大径とされている（Ｌ１＞Ｌ２）。
【０１３５】
よって、装飾体３０１をスペーサ部材２５０の背面に取り付ける際には、まず位置決め用ボス３１２ａ（または３１２ｄ）を、位置決め穴２６５ｂ（または２６５ｃ）よりも内径の大きな位置決め穴２６５ａ（または２６５ｄ）に嵌合し、これを足掛かりとして他方の位置決め用ボス３１２ｂ（または３１２ｃ）を、内径の大きな位置決め穴２６５ｂ（または２６５ｃ）に嵌合することで、変動表示制御ユニット４９等の重量物が組み付けられた装飾体３０１のスペーサ部材２５０に対する位置決めを容易に行うことができるようになっている。
【０１３６】
背板２５２の背面２５０ｂにおける開口部２５１の周縁部には、後述する外レール飾り
６００ａ〜６００ｃの前端部６０４の先端が係合する円弧状の係合段部２６７が、開口部２５１の周縁部に沿って複数箇所に延設されている。なお、係合段部２６７は、スペーサ部材２５０の背面２５０ｂにおける開口部２５１の周縁に沿うように形成される当接面２６７ａと、該当接面２６７ａの外周縁に垂設される規制面２６７ｂと、から構成されている（図１４参照）。また、左右側の係合段部２６７，２６７には、後述する装飾体３０１を取り付けるためのネジ穴２６９ａ〜２６９ｄが形成されている。
【０１３７】
また、背板２５２の背面２５０ｂにおける嵌合凹部２６４ｃ、２６４ｆの近傍位置には、後述する外レール飾り６００ａに形成される上下方向を向く係合爪６０６ａが係合する係合段部２６８ａと、外レール飾り６００ｂに形成される上下方向を向く係合爪６０６ｂが係合する係合段部２６８ｂと、が形成されている。
【０１３８】
また、スペーサ部材２５０の開口部２５１の周囲に沿うように、盤面板２００の背面２００ｂに対して垂設される環状の内周壁２５４の上辺部左右側には、後述する導光板ユニット７００を取り付ける際の位置決め穴を形成する位置決め用切欠部２７１ａ、２７１ｂが形成されているとともに、内周壁２５４の下辺部左右側には、導光板ユニット７００を取り付けるための係合部を形成する弾性係合爪２７２ａ、２７２ｂが形成されている（図１７参照）。弾性係合爪２７２ａ、２７２ｂは、内周壁２５４の一部を切り欠いて形成され、盤面板２００の背面２００ｂ側から後側に向けて延びる水平な弾性片の上面後端に形成されている。
【０１３９】
次に、このように構成される遊技盤６の製造工程について簡単に説明すると、合成樹脂に熱を加えて溶かした樹脂を金型に流し込んで盤面板２００の原板を形成した後、所定の加工装置を用いて原板を切削して所定の形状に加工する。一方、スペーサ部材２５０を成型し、これら盤面板２００とスペーサ部材２５０とを一体的に組み付けて遊技盤６を構成する。
【０１４０】
次いで、盤面板２００の表面に障害釘Ｋ（図１４参照）や各種入賞装置等の取付穴等を開設した後、釘打機まで搬送して障害釘Ｋを打設する。これらの加工は、例えば遊技盤を搬送コンベア上に載置して搬送する際に順次行われていく。そして取付穴等の加工機を通して釘打機まで移送する際には、次の加工工程で待機させる際に場所をとらないようにするために、複数枚の本体板を積み重ねて効率よく搬送コンベアにて搬送する。
【０１４１】
また、釘打ち加工後に後述する打球レールや小型の入賞装置等を取り付けた後、大型の入賞装置や制御回路基板等の大型部品を取り付けるが、組付工程が煩雑化することから組付速度が低下するため、釘打ち及び小型の入賞装置を取り付けた後に、遊技盤を積み重ねて待機することがある。
【０１４２】
このように、遊技盤６を取付穴等の加工機を通して釘打機まで移送する際には、次の加工工程で待機させる際に場所をとらないようにするために、複数枚の本体板を積み重ねて搬送したり、積み重ねた状態で待機することがある（図８参照）。
【０１４３】
図８に示すように、盤面板２００の遊技盤面２００ａに、障害釘Ｋや各種入賞装置等を取り付けていない状態において、遊技盤６は上下方向に積み重ねることができる。このように遊技盤６を積み重ねた場合、一の遊技盤６の前面とその上方に積み重ねられた他の遊技盤６の背面とが当接するが、盤面板２００及びスペーサ部材２５０は合成樹脂材にて形成されているため、上方に積載された遊技盤６が滑落しやすい。
【０１４４】
しかし、図９に示すように、スペーサ部材２５０の前面２５０ａに突設された取付用ボス２６０ｃ、２６０ｆの長さ寸法Ｐ３は、盤面板２００の厚み幅寸法Ｐ１よりも長寸であることで、下方の遊技盤６の盤面板２００の遊技盤面２００ａから突出した取付用ボス２６０ｃ、２６０ｆの先端が、上方の遊技盤６のスペーサ部材２５０の背面２５０ｂに形成された嵌合凹部２６４ｃ、２６４ｆに嵌合されるため、下方の遊技盤６に対する上方の遊技盤６の横滑りが規制されて滑落が防止されるとともに、積載位置が決定されるため、図のように複数の遊技盤６を上下方向に積み重ねることができる。
【０１４５】
また、スペーサ部材２５０の前面２５０ａに盤面板２００を取り付けたときに、上方の遊技盤６の横滑りを規制する取付用ボス２６０ｃ、２６０ｆが挿通穴２０７ｃ、２０７ｆに挿通されて前面２５０ａに対する盤面板２００の取付位置が決定されるため、前面２５
０ａに対する盤面板２００の面方向の位置ずれを防止できる。
【０１４６】
なお、本実施例では、取付用ボス２６０ｃ、２６０ｆが嵌合可能な大きさを有する嵌合凹部２６４ｃ、２６４ｆがスペーサ部材２５０の背面２５０ｂに凹設されていたが、例えばスペーサ部材２５０の背板２５２に形成した穴部と盤面板２００の背面２００ｂとにより嵌合凹部が形成されていてもよい。
【０１４７】
また、盤面板２００の遊技盤面２００ａからの突出長さ寸法Ｐ４は、嵌合凹部２６４ｃ
、２６４ｆの深さ寸法Ｐ５よりも長寸（Ｐ４＞Ｐ５）とされていることで、下方の遊技盤６の盤面板２００の遊技盤面２００ａから突出した取付用ボス２６０ｃ、２６０ｆの先端が、上方の遊技盤６のスペーサ部材２５０の背面２５０ｂに形成された嵌合凹部２６４ｃ、２６４ｆに嵌合された状態において、上方の遊技盤６のスペーサ部材２５０の背面２５０ｂと下方の遊技盤６の遊技盤面２００ａとの間に所定幅（例えば１〜３ｍｍ程度）の隙間Ｐ６が形成されるため、遊技盤面２００ａに傷が付くことが防止される。
【０１４８】
なお、本実施例では、図８に示すように、取付用ボス２６０ｃ、２６０ｆは遊技盤６の表面側２箇所に設けられることで、下方の遊技盤６に対する上方の遊技盤６の水平回転が規制されて下方の遊技盤６に対する上方の遊技盤６の向きが決定されるため、複数の遊技盤６を積み重ねる際の安定性が向上するばかりか、積み重ねられた遊技盤６に何らかの衝撃が加わった場合にその衝撃が各取付用ボス２６０ｃ、２６０ｆ及び嵌合凹部２６４ｃ、２６４ｆに分散され、一の取付用ボス２６０ｃ、２６０ｆ及び嵌合凹部２６４ｃ、２６４ｆに局所的に加わることがないので、取付用ボス２６０ｃ、２６０ｆの損傷が防止される
。
【０１４９】
また、遊技盤６はこれら２つの取付用ボス２６０ｃ、２６０ｆを通る仮想直線を中心として上下辺側が若干前後方向に揺動することになる。これにより、遊技盤６を積み重ねたときに下方の遊技盤６の上辺側または下辺側にも荷重が加わることになり、上方の遊技盤６の荷重が全て下方の遊技盤６の取付用ボス２６０ｃ、２６０ｆの２点に集中することが防止されるため、取付用ボス２６０ｃ、２６０ｆの破損が防止される。なお、取付用ボス２６０ｃ、２６０ｆを３箇所以上に設け、上方の遊技盤６の荷重を全て取付用ボスの配置位置にて受支するようにしてもよい。
【０１５０】
また、本実施例では、取付用ボス２６０ｃ，２６０ｆ及び嵌合凹部２６４ｃ，２６４ｆは横断面円形状に形成されていたが、取付用ボス２６０ｃ，２６０ｆ及び嵌合凹部２６４ｃ，２６４ｆを横断面非円形状とすることで、下方の遊技盤６に対する上方の遊技盤６の水平回転を規制してもよい。具体的には、取付用ボス２６０ｃ，２６０ｆ及び嵌合凹部２６４ｃ，２６４ｆの横断面形状を、例えば多角形状、楕円形状等としたり、あるいは円形状の凸部及び凹部に相対回転を規制するためのキー（係止片）とキー溝（係止溝）等を形成すれば、取付用ボス２６０ｃ，２６０ｆを嵌合凹部２６４ｃ，２６４ｆに嵌合したときに該取付用ボス２６０ｃ，２６０ｆの軸心を中心とした双方の相対回転を規制できる。なお、このようにした場合は、１つの取付用ボス及び嵌合凹部でも下方の遊技盤６に対する上方の遊技盤６の水平回転を規制することが可能となる。
【０１５１】
また、取付用ボス２６０ｃ、２６０ｆに対応する位置に嵌合凹部２６４ｃ、２６４ｆが形成されているとともに、取付用ボス２６０ｃ、２６０ｆには、ネジ穴２０６ｋが先端から下端の嵌合凹部２６４ｃ、２６４ｆにかけて上下方向に貫通して形成されていることで、嵌合凹部２６４ｃ、２６４ｆに取付用ボス２６０ｃ、２６０ｆが嵌合された状態において、ネジ穴２０６ｋの取付用ボス２６０ｃ、２６０ｆの先端部側の開口と嵌合凹部２６４ｃ、２６４ｆの内面側の開口とが合致するため、複数の遊技盤６を積み重ねたときに、上下の遊技盤６，６のネジ穴２０６ｋが上下方向に連通する。よって、例えば積み重ねた状態において最上位の遊技盤６の上方からネジ穴２０６ｋに線材（例えば金属棒や紐等）を全ての遊技盤６のネジ穴２０６ｋに挿通することで、遊技盤６の滑落をより効果的に防止することができる。
【０１５２】
また、遊技盤６は、厚み幅寸法Ｐ１が約１ｃｍの盤面板２００を厚み幅寸法Ｐ２が約１ｃｍのスペーサ部材２５０に一体的に組み付けることで、従来のようにベニヤ合板からなる遊技盤と同じ形状及び同じ板厚（約２ｃｍ）に形成されるため、ベニヤ合板からなる遊技盤を製造する製造ラインを使用して、取付穴や釘打ちの加工を施すことができる。
【０１５３】
このようにアクリル樹脂材からなる盤面板２００とスペーサ部材２５０とを組み合せることにより所定の板厚の遊技盤６を構成することで、盤面板２００のみで所定の板厚の遊技盤６を形成する場合に比べて、製造コストを低減できるばかりか、軽量の遊技盤を構成することができる。また、スペーサ部材２５０により透明な盤面板２００の背面２００ｂ側が保護されるので、製造時や搬送時における盤面板２００の損傷や破損が防止される。
【０１５４】
次に、盤面板２００の前面に各種部材が取り付けられた遊技盤６の構造について、図１１〜図１６にもとづいて説明する。図１１は、遊技盤の前面側に対する各種部材の取り付け状況を示す斜視図である。図１２は、遊技盤の前面に各種部材が取り付けられた状態を示す正面図である。図１３は、各種部材が取り付けられた複数の遊技盤を積み重ねた状態を示す斜視図である。図１４は、図１３のＲ−Ｒ断面図である。図１５は、（ａ）は図１３の要部拡大斜視図、（ｂ）は図１３のＳ−Ｓ断面図である。図１６は、遊技盤に対する導光板ユニットの取り付け状態を示す斜視図である。
【０１５５】
（遊技盤）
遊技盤６における盤面板２００の遊技盤面２００ａには、図１１及び図１２に示すように、打球発射装置５５０から発射された遊技球を遊技領域７（図１９中斜線領域）内に誘導する発射球案内通路５００（図１９中網線領域）の一部を構成する第２レール５０２、第３レール５０３、第４レール５０４、外レール飾り６００ａ〜６００ｃ、障害釘Ｋ、風車（図示略）、証紙貼付部材６０１、球戻り防止装置５５５等が取り付けられるとともに、センター枠飾り１１、可変入賞球装置１５、特別可変入賞球装置２０、ゲート３２、装飾部材２５Ｌ，２５Ｒ（図１参照）等が各取付穴２０１〜２０６に前面側から取り付けられる。
【０１５６】
これら第２レール５０２、第３レール５０３、第４レール５０４、外レール飾り６００ａ〜６００ｃ、障害釘Ｋ、風車、球戻り防止装置５５５、センター枠飾り１１、可変入賞球装置１５、特別可変入賞球装置２０、ゲート３２、装飾部材２５Ｌ，２５Ｒは、遊技盤面２００ａ上に配設される遊技用構造物であり、そのうち遊技領域７の周囲に配設される外レール飾り６００ａ〜６００ｃ及び各レール５０２〜５０４を除く障害釘Ｋ、風車、球戻り防止装置５５５、センター枠飾り１１、可変入賞球装置１５、特別可変入賞球装置２０、ゲート３２、装飾部材２５Ｌ，２５Ｒは、遊技領域７に遊技球の流下の障害となるように配設され、遊技球の流下方向を変更させる流下方向変更部材を構成する。
【０１５７】
また、外レール飾り６００ａ〜６００ｃは、遊技盤面２００ａにおける遊技領域７の周囲に配設されることで、遊技盤面２００ａ上に立設される正面視円弧状の各誘導面６０１ａ〜６０１ｃの端部同士が接続されて環状の誘導面が構成される（図１２参照）。なお、第１レール５０１は誘導面６０１ａ，６０１ｂの一部の内側に沿って配設され、実質的に誘導面６０１ａおよび誘導面６０１ｂの一部を構成している。第２レール５０２は誘導面６０１ａの内側に沿って配設され、実質的に誘導面６０１ａの一部を構成している。第３レール５０３は誘導面６０１ｃの一部の内側に沿って配設され、実質的に誘導面６０１ｃの一部を構成している。
【０１５８】
このようにこれら誘導面６０１ａ〜６０１ｃにより、遊技盤面２００ａは、中央部に形成される略円形の遊技領域７とその周囲に形成される非遊技領域とに区画されるため、外レール飾り６００ａ〜６００ｃ及び第３レール５０３、第４レール５０４は遊技領域７を形成するレール部材を構成している。
【０１５９】
第２レール５０２、第３レール５０３は、遊技盤６を前面側から見て、該盤面板２００の遊技盤面２００ａの下部から略円形の遊技領域７の左側周縁に沿って円弧状に配設され
、第４レール５０４は、第２レール５０２、第３レール５０３の内側に離間して配設され、これら第２レール５０２及び第３レール５０３と第４レール５０４との間に、打球発射装置５５０により発射された遊技球を遊技領域７に誘導する発射球案内通路５００の一部を構成する。
【０１６０】
各レール５０２〜５０４は帯状の金属板から構成され、遊技盤面２００ａ側の縁辺部に長手方向に向けて所定間隔おきに固設された複数の取付ピンＴＰ（図２２参照）を遊技盤面２００ａに形成された複数の取付穴ＴＢに圧入することにより、縁辺部と遊技盤面２００ａとの間に隙間を設けて取り付けられる（図２２参照）。このように縁辺部と遊技盤面２００ａとの間に隙間を設けて取り付けることで、各レール５０２〜５０４の側面に遊技球が接触することにより振動が生じても、縁辺部と遊技盤面２００ａとが擦れることがないので、遊技盤面２００ａが削れることにより生じた粉が遊技盤面２００ａに付着して遊技盤面２００ａが汚れたりする可能性が低い。
【０１６１】
また、第２レール５０２及び第３レール５０３と第４レール５０４とは、遊技球の直径よりも若干大寸の幅寸法離間されていることで、発射球案内通路５００を移動する遊技球は、第２レール５０２及び第３レール５０３における発射球案内通路５００に臨む側面（立設面）を滑るまたは転動するように接触することが多く、該側面上に遊技球が落下しても大きな振動が生じることは少ないため、少なくとも球戻り防止装置５５５が取り付けられる端部側において遊技盤面２００ａと縁辺部との間に隙間が形成されていれば縁辺部と遊技盤面２００ａとが擦れることがないので、遊技盤面２００ａが削れることにより生じた粉が遊技盤面２００ａに付着して遊技盤面２００ａが汚れたりする可能性が低い。
【０１６２】
外レール飾り６００ａ〜６００ｃは、遊技領域７の左側縁に沿って遊技球の誘導面６０１ａが形成される外レール飾り６００ａと、遊技領域７の上側縁から右側縁中央部に沿って遊技球の誘導面６０１ｂが形成される外レール飾り６００ｂと、遊技領域７の右側縁中央部から下側縁に沿って遊技球の誘導面６０１ｃが形成される外レール飾り６００ｃと、を含む。
【０１６３】
外レール飾り６００ａは、取付用ボス２６０ａ〜２６０ｄの先端に形成されたネジ穴に取付ネジ６０２ａ〜６０２ｄをそれぞれ螺入することで取り付けられ、外レール飾り６００ｂは、取付用ボス２６０ｅ，２６０ｆの先端に形成されたネジ穴に取付ネジ６０２ｅ，
６０２ｆを螺入することで取り付けられ、外レール飾り６００ｃは、取付用ボス２６０ｇ，２６０ｈの先端に形成されたネジ穴に取付ネジ６０２ｇ，６０２ｈを螺入することで取り付けられる。
【０１６４】
これら外レール飾り６００ａ〜６００ｃは、遊技盤面２００ａ上に立設される立体円弧状の本体６０３を有し、該本体６０３の内壁６０３ａの外面に誘導面６０１ａ〜６０１ｃが形成されているとともに、内壁６０３ａの前端部６０４は、本体６０３の前面よりも前面側に突出している（例えば、図１４参照）。つまり、本体６０３の前面に垂設される前端部６０４は、誘導面６０１ａ〜６０１ｃに沿って延設される円弧状の突片からなる。
【０１６５】
図１４に示すように、内壁６０３ａにおける遊技盤面２００ａ側の縁辺部のうち誘導面６０１ａ〜６０１ｃ側の縁辺部には切欠凹溝ＫＭが形成され、遊技盤面２００ａとの間に隙間（例えば、高さ約０．３ｍｍ、幅約２ｍｍ）が長手方向に向けて延設されている。このように内壁６０３ａの後端面における誘導面６０１ａ〜６０１ｃ側の縁辺部に形成された切欠凹溝ＫＭにより、縁辺部と遊技盤面２００ａとの間に隙間が形成され、誘導面６０１ａ〜６０１ｃに遊技球が接触することにより内壁６０３ａに振動が生じても、縁辺部と遊技盤面２００ａとが擦れることがないので、遊技盤面２００ａが削れることにより生じた粉が遊技盤面２００ａに付着して遊技盤面２００ａが汚れることがない。
【０１６６】
図１２に示すように、外レール飾り６００ａにおける周縁所定箇所には、スペーサ部材
２５０の背面２５０ｂに形成された係合段部２６８ａに係合する係合爪６０６ａが、本体
６０３の上面から上方に向けて突設されている。
【０１６７】
外レール飾り６００ａの下部には、誘導面６０１ａに沿うように凹溝が形成されており、該凹溝により後述する第１ファール球通路が形成されている。尚、第１ファール球通路の詳細な形状等については後述することとする。
【０１６８】
また、外レール飾り６００ｂは、外レール飾り６００ａ，６００ｃと同様に内壁６０３ａにおける遊技盤面２００ａ側の縁辺部に切欠凹溝ＫＭが形成されているため、誘導面６
０１ｂに遊技球が接触することにより内壁６０３ａに振動が生じても、縁辺部と遊技盤面２００ａとが擦れることがないので、遊技盤面２００ａが削れることにより生じた粉が遊技盤面２００ａに付着して遊技盤面２００ａが汚れることがない。
【０１６９】
また、外レール飾り６００ｂにおける周縁所定箇所には、スペーサ部材２５０の背面２５０ｂに形成された係合段部２６８ｂに係合する係合爪６０６ｂが、本体６０３の上面から上方に向けて突設されている。
【０１７０】
外レール飾り６００ｃは、盤面板２００のアウト口穴２０４及びスペーサ部材２５０のアウト開口部２６２内に前面側から嵌合される筒状部６０５が、誘導面６０１ｃにおける最下位置から背面側に向けて連設されている。このように誘導面６０１ｃにより外レール飾り６００ｃに一体形成された筒状部６０５に向けて誘導（流下）された遊技球が、該筒状部６０５の前面開口となるアウト口２６内に誘導されて遊技盤６の背面側に排出されるようになっている。
【０１７１】
また、外レール飾り６００ｃの誘導面６０１ｃにおけるアウト口２６の近傍位置は、遊技領域７の下部位置に上向きに配設されており、誘導面６０１ｃに沿って遊技球を転動により誘導するだけでなく、上方から流下してくる遊技球が直接落下される頻度が高い部位であり、遊技球の落下による衝撃により振動しやすい。よって、外レール飾り６００ｃに一体形成された筒状部６０５を盤面板２００のアウト口穴２０４及びスペーサ部材２５０のアウト開口部２６２内に前面側から嵌合することで、外レール飾り６００ｃが遊技盤面２００ａに対して強固に取り付けられ、振動の発生が抑制されるため、内壁６０３ａにおける遊技盤面２００ａ側の縁辺部と遊技盤面２００ａとが擦れにくくなり、遊技盤面２０
０ａが削れて粉が生じにくくなる。
【０１７２】
（遊技盤の積載）
以上説明してきたように、遊技盤面２００ａに種々の遊技用構造物（流下方向変更部材
）が取り付けられた遊技盤６は、図１３に示すように上下方向に積み重ねることができる。前述したように、釘打ち加工後に後述する打球レールや小型の入賞装置等を取り付けた後、大型の入賞装置や制御回路基板等の大型部品を取り付けるが、組付工程が煩雑化することから組付速度が低下するため、釘打ち及び小型の入賞装置を取り付けた後に、遊技盤を積み重ねて待機することがある。
【０１７３】
このように遊技盤６を上下方向に積み重ねたときには、図１４に示すように、各遊技盤６の外レール飾り６００ａ〜６００ｃの前端部６０４が、上方に積み重ねられる遊技盤６のスペーサ部材２５０に形成される円弧状の係合段部２６７にそれぞれ係合するとともに、図１５に示すように、外レール飾り６００ａに突設された係合爪６０６ａがスペーサ部材２５０の背面２５０ｂに形成された係合段部２６８ａに係合するとともに、外レール飾り６００ｂに突設された係合爪６０６ｂがスペーサ部材２５０の背面２５０ｂに形成された係合段部２６８ｂに係合することで、下方の遊技盤６に対する上方の遊技盤６の横滑りが規制されて滑落が防止されるとともに、積載位置が決定されるため、図１３のように複数の遊技盤６を上下方向に積み重ねることができる。
【０１７４】
具体的には、円弧状片からなる前端部６０４は、遊技領域７の周縁に沿って垂設される誘導面６０１ａ〜６０１ｃに沿うように正面視環状（円形状）に形成されていることで、全体として遊技盤面２００ａに突設される凸部を構成している（図１２参照）。一方、係合段部２６７は、スペーサ部材２５０の背面２５０ｂにおける開口部２５１の周縁に沿うように形成される当接面２６７ａと該当接面２６７ａの外周縁に垂設される規制面２６７ｂとから構成されることで、全体として背面２５０ｂに凹設される凹部を構成している（図７参照）。
【０１７５】
よって、図１４に示すように、下方の遊技盤６の前端部６０４が上方の遊技盤６の係合段部２６７に嵌合したときに、該前端部６０４の外周に規制面２６７ｂが配置されて水平方向の移動が当接規制されるため、正面視環状（円形状）の前端部６０４からなる凸部が係合段部２６７からなる凹部に嵌合することになる。なお、本実施例では、係合段部２６７の規制面２６７ｂは当接面２６７ａの外周縁に垂設されていたが、内周縁に垂設されていてもよく、この場合、前端部６０４が係合したときに該前端部６０４の内側に規制面２
６７ｂが配置されて水平方向の移動が当接規制される。
【０１７６】
また、係合段部２６７に係合する前端部６０４および係合段部２６８ａ，２６８ｂに係合する係合爪６０６ａ、６０６ｂは外レール飾り６００ａ〜６００ｃに配設されていることで、上方の遊技盤６の荷重は非遊技領域に配設される外レール飾り６００ａ〜６００ｃに加わるとともに、該外レール飾り６００ａ〜６００ｃに加わった荷重は前述したようにスペーサ部材２５０にて受支される。つまり、上方の遊技盤６の荷重は円形の遊技領域７の周囲に均等に加わるため、積載された遊技盤６の安定性が向上するばかりか、盤面板２００の特に遊技領域７に荷重が直接加わることがないので、盤面板２００の撓みや損傷等が防止される。
【０１７７】
また、外レール飾り６００ａ〜６００ｃにおける前端部６０４までの高さ寸法Ｐ１５よりも、遊技領域７に設けられた障害釘Ｋの高さ寸法Ｐ２０の方が長寸とされているが、外レール飾り６００ａ〜６００ｃの高さ寸法Ｐ１５と盤面板２００の背面２００ｂと開口部
２５１とにより形成される凹状の収容空間部（逃げ部）の深さ寸法Ｐ２２との合算寸法（Ｐ１５＋Ｐ２２）が、障害釘Ｋの高さ寸法Ｐ２０よりも長寸（Ｐ１５＋Ｐ２２＞Ｐ２０）とされている。
【０１７８】
よって、遊技領域７内に設けられる流下方向変更部材のうち、外レール飾り６００ａ〜６００ｃの前端部６０４よりも前面側に突出して障害釘Ｋ等が設けられていても、スペーサ部材２５０の背面２５０ｂに、盤面板２００の背面２００ｂと開口部２５１とにより障害釘Ｋを収容可能な大きさを有する凹状の逃げ部が形成されていることで、遊技盤６を積み重ねた場合に、下方の遊技盤６の障害釘Ｋの前端部が逃げ部内に収容されるため、積み重ねの際に上方の遊技盤６と干渉することがない。
【０１７９】
また、外レール飾り６００ａ〜６００ｃの本体６０３の前面に突設されている前端部６
０４の突出長さ寸法Ｐ１６は、係合段部２６７の深さ寸法Ｐ１７よりも長寸（Ｐ１６＞Ｐ１７）とされていることで、外レール飾り６００ａ〜６００ｃの前端部６０４が上方に積み重ねられる遊技盤６の係合段部２６７に係合している状態において、該外レール飾り６００ａ〜６００ｃの本体６０３を含む各種部材の前面部と、上方の遊技盤６の背面（スペーサ部材２５０の背面２５０ｂ）と、の間に所定幅の隙間Ｐ１８が形成されるため、互いに接触して損傷することが防止される。
【０１８０】
また、上方の遊技盤６の荷重は遊技領域７内に設けられる障害釘Ｋ等の流下方向変更部材（障害物）に加わることなく、遊技領域７の外側に配置される外レール飾り６００ａ〜６００ｃ等にかかるようになっていることで、流下方向変更部材が変形するなどして遊技球の流下に支障をきたすことがない。
【０１８１】
また、本実施例では、凹状の係合段部２６７に嵌合する凸状の前端部６０４が、遊技用構造物の一例である外レール飾り６００ａ〜６００ｃに形成されていたが、例えば凸部を、第２〜４レール５０２〜５０４、センター枠飾り１１、可変入賞球装置１５、特別可変入賞球装置２０、ゲート３２、装飾部材２５Ｌ，２５Ｒ等の流下方向変更部材に設け、スペーサ部材２５０の背面２５０ｂにおける凸部に対応する位置に凹部を形成し、積み重ねたときに流下方向変更部材に設けた凸部が凹部に嵌合すればよい。
【０１８２】
なお、本実施例では、スペーサ部材２５０は盤面板２００の背面２００ｂに取り付けられているため、係合段部２６７，２６８ａ，２６８ｂはスペーサ部材２５０の背面２５０ｂに形成されていたが、スペーサ部材２５０を遊技盤面２００ａ上に取り付ける場合、係合段部２６７，２６８ａ，２６８ｂは盤面板２００の背面２００ｂに形成すればよい。
【０１８３】
また、図１６に示すように、このように構成された遊技盤６の背面側には、導光板ユニット７００が着脱可能に取り付けられる。導光板ユニット７００は、アクリル樹脂、ポリカーボネート樹脂、メタクリル樹脂等の透明な合成樹脂材にて形成される導光板７０１と、該導光板７０１の周囲に装着される枠状の取付枠７０２と、から主に構成されており、スペーサ部材２５０に取り付けることによって遊技盤６の背面側に配設されるようになっている。また、導光板７０１の背面７０１Ｂには、第１始動入賞口（第１始動口）１３ａおよび第２始動入賞口（第２始動口）１３ｂに対応する可変入賞通路部材９００と、入賞口２９ａ、２９ｃに対応する第１入賞通路部材９１０と、入賞口２９ｂ、２９ｄに対応する第２入賞通路部材９２０と、が設けられる。
【０１８４】
導光板７０１の周縁に装着される取付枠７０２は、特に図示はしないが導光板７０１の前面側に配置される本体部と、導光板７０１の背面側に配置され、本体部の背面を被覆するカバー部と、から構成され、導光板７０１の周縁部を本体部とカバー部とにより前後から挟持した状態で一体化される。また、本体部の背面には、第１導光板ＬＥＤ６０ａ〜６
０ｔおよび第２導光板ＬＥＤ６１ａ〜６１ｆが、導光板７０１の周端面に沿って該導光板７０１の周端面に光を照射可能に設けられており、導光板７０１の周端面に入射された光が導光板７０１の背面７０１Ｂに形成された反射部（図示略）にて反射して前面側から出射されるようになっている（いわゆるエッジライト方式）。
【０１８５】
また、取付枠７０２の上辺部における左右側には位置決め突片７２４ａ、７２４ｂが上向きに突設され、また、取付枠７０２の下辺部における左右側には係合部７２５ａ、７２５ｂが形成されている。そして図１６に示すように、前述したスペーサ部材２５０の上辺部に形成された位置決め用切欠部２７１ａ、２７１ｂと盤面板２００の背面２００ｂとにより形成される位置決め用穴（図示略）に位置決め突片７２４ａ、７２４ｂを差し込み、該導光板７０１の上辺部を中心として下辺部側を前側に押し込むように回転させてスペーサ部材２５０の下辺部に形成された弾性係合爪２７２ａ、２７２ｂに係合部７２５ａ、７２５ｂを係合させることにより、盤面板２００（遊技盤６）の背面に対し所定の隙間を隔てて導光板７０１が取り付けられる。
【０１８６】
（可動役物ユニット）
次に、可動役物ユニット８００の構成について、図１７〜図２４を用いて説明する。図１７は、可動役物ユニットを示す斜視図である。図１８は、可動役物ユニットの構造を示す分解斜視図である。図１９は、可動役物ユニットを示す正面図である。図２０は、可動役物ユニットを示す背面図である。図２１は、図１９のＡ−Ａ断面図である。図２２は、（ａ）は役物が退避位置に位置している状態、（ｂ）は役物が突出位置に向けて移動を開始した直後の状態を示す図である。図２３は、（ｃ）は役物が突出位置の直前に位置している状態、（ｄ）は役物が突出位置に位置している状態を示す図である。図２４は、ガイド溝を示す拡大図である。尚、以下の説明においては、パチンコ遊技機１の正面に対向した際の上下・左右方向を基準として説明する。
【０１８７】
図１７〜図２１に示すように、演出装置としての可動役物ユニット８００は、正面視略縦長長方形状をなすベース部材８０１と、ベース部材８０１に対し移動可能に設けられた移動部としての役物８０２と、役物８０２を駆動する駆動機構８０３と、から主に構成されている。本実施例の役物８０２は、やかんを模した形状とされ、その背面側に配置される取付部材８０４（図１８参照）を介して駆動機構８０３に連結されている。尚、ベース部材８０１の前面下部位置には、役物モータ６７及び役物スイッチ６８からの配線が接続されるコネクタＣＮ１，ＣＮ２と、これらの配線をまとめて演出制御基板８０に接続するための配線が接続されるコネクタＣＮ３と、が設けられた役物中継基板８０５が取り付けられている。
【０１８８】
図１８に示すように、ベース部材８０１の前面上下方向の略中央位置右側には、役物モータ６７が前面側から取り付けられる凸形状のモータ取付部８０６が形成されている。モータ取付部８０６には貫通孔８０７が形成されており、取り付けられた役物モータ６７の出力軸６７ａ（図２０参照）を貫通孔８０７に挿通することでベース部材８０１の背面側に臨ませることができるようになっており、ベース部材８０１の背面側に延出された出力軸６７ａの後端には駆動ギヤ８０８が固着されている。
【０１８９】
モータ取付部８０６の左側には、役物８０２を移動させるためのアーム８１０の下端に突設された回動軸８１１が挿通される前後方向を向く筒状の軸受ボス８１２が前方に向けて突設されており、該軸受ボス８１２により形成される軸受孔に回動軸８１１が前面側から挿通されることで、アーム８１０が下端を中心として上端側を左右方向に回動できるようになっている。また、軸受ボス８１２に前面側から挿通された回動軸８１１の後端には、駆動ギヤ８０８に噛合する従動ギヤ８１３がネジ８１３ａにより固着される。よって、出力軸６７ａの回転が駆動ギヤ８０８及び従動ギヤ８１３を介して回動軸８１１に伝達され、アーム８１０が前後方向を向く回動軸８１１を中心に回動するようになっている。
【０１９０】
アーム８１０の上端には軸受孔８１５が形成されており、この軸受孔８１５には、取付部材８０４の背面に突設された回動軸８１４が背面側から嵌挿される。そして軸受孔８１５に挿通された回動軸８１４の背面側からリングワッシャ８１６ａを介して挿通された連結ネジ８１６の先端にリングワッシャ８１６ｂが螺入されることで、アーム８１０の上端に取付部材８０４が前後方向を向く軸周りに回動可能に軸支される。
【０１９１】
取付部材８０４は、正面視横長円形状をなす後方に開口する箱状に形成されており、その前面側には、役物８０２が複数のネジ８１７により取り付けられる。また、取付部材８０４の中心位置から左側にずれた位置に回動軸８１４が突設されているとともに、右側端縁下部には、つまり回動軸８１４とは異なる位置には、ベース部材８０１に形成されたガイド溝８２０に摺動可能に嵌挿される円柱状のガイド軸８２１が後向きに突設されている。ガイド溝８２０に嵌挿されたガイド軸８２１の背面側からリングワッシャ８２２ａを介して挿通された連結ネジ８２２の先端にリングワッシャ８２２ｂが螺入されることで、ベース部材８０１に対して取付部材８０４が移動可能に連結される。
【０１９２】
これら役物モータ６７、駆動ギヤ８０８、従動ギヤ８１３、アーム８１０は、役物８０２を駆動する駆動機構８０３を構成している。また、駆動手段である役物モータ６７及び該役物モータ６７により駆動する駆動ギヤ８０８及び従動ギヤ８１３を介して移動するアーム８１０及び取付部材８０４は、ベース部材８０１に対し移動可能に設けられる移動部材を構成している。
【０１９３】
また、ベース部材８０１における軸受ボス８１２の上方位置には、アーム８１０の右側面に突設された検出片８２３を検出するフォトセンサからなる役物スイッチ６８が設けられており、アーム８１０が略垂直な起立姿勢となって役物８０２が後述する退避位置Ａに位置していることを検出できるようになっている。
【０１９４】
また、役物スイッチ６８の上方近傍位置には、アーム８１０の右側面（当接部）に当接して該アーム８１０の時計回りの回転を規制する移動規制部としてストッパ片８２４が突設されており、アーム８１０が略垂直な起立姿勢となって役物８０２が退避位置Ａに位置したときに、アーム８１０の右側面に当接して該アーム８１０の時計回りの回転を当接により規制している。
【０１９５】
ここで、ガイド溝８２０の詳細な構造と、アーム８１０及びガイド軸８２１との関係について、図２２にもとづいて説明する。
【０１９６】
ガイド溝８２０は、ガイド軸８２１を嵌挿可能な幅寸法を有し、左右方向に向けて上下に蛇行するように延設されている。詳しくは、右端から左側に向けて上方に傾斜する略直線状の第１ガイド部８２０ａと、該第１ガイド部８２０ａの左端から左側に向けて下方に傾斜する略直線状の第２ガイド部８２０ｂと、第２ガイド部８２０ｂの左端から左側に向けて上方に傾斜する略円弧状の第３ガイド部８２０ｃと、から構成されており、第１ガイド部８２０ａと第２ガイド部８２０ｂとの間には第１屈曲部Ｃ１が形成され、第２ガイド部８２０ｂと第３ガイド部８２０ｃとの間には第２屈曲部Ｃ２が形成されている。  
【０１９７】
一方、アーム８１０は、第２ガイド部８２０ｂの左端にて交差する位置において垂直姿勢となる退避位置Ａと、該退避位置Ａから所定角度回転した位置において傾倒姿勢となる突出位置Ｂと、の間でアーム８１０の回動軸８１１を中心として回動可能に設けられている。
【０１９８】
また、役物８０２が退避位置Ａに到達したときには、アーム８１０がストッパ片８２４に当接することによりアーム８１０の時計回りの回動が規制され、役物８０２が突出位置Ｂに到達したときには、ガイド軸８２１がガイド溝８２０の内周縁左端に当接することによりアーム８１０の反時計回りの回動が規制されるようになっている。退避位置Ａにおいては、アーム８１０がストッパ片８２４に当接することでアーム８１０の時計回りの回動が規制されるようになっていたが、ガイド軸８２１がガイド溝８２０の内周縁右端にと右折することによりアーム８１０の時計回りの回動が規制されるようにしてもよい。
【０１９９】
また、突出位置Ｂにおいて、アーム８１０がベース部材８０１にストッパ片８２４とは別個に形成されたストッパ部材に当接することによりアーム８１０の反時計回りの回動が規制されるようにしてもよい。このように、アーム８１０の回動をガイド溝８２０とガイド軸８２１との当接により規制しない場合、ガイド軸８２１は、退避位置Ａや突出位置Ｂにおいてガイド溝８２０の端部に当接しなくてもよい。
【０２００】
さらに本実施例では、役物８０２を駆動するアーム８１０をストッパ片８２４に当接させることで回動規制しているが、役物８０２やガイド軸８２１を直接当接規制部材に当接させることで回動規制してもよい。
【０２０１】
また、ガイド溝８２０内に摺動可能に嵌挿されるガイド軸８２１は回動軸８１１を中心として回動可能とされているため、アーム８１０が回動しても、回動軸８１１からガイド軸８２１までの寸法Ｒ１（半径Ｒ１）は変わらない。よって、アーム８１０が退避位置Ａに位置しているとき、ガイド軸８２１は第１ガイド部８２０ａの右端である第１位置Ａ’ に位置し、アーム８１０が突出位置Ｂに位置しているとき、ガイド軸８２１は第３ガイド部８２０ｃの左端である第２位置Ｂ’に位置する。つまり、退避位置Ａは第１位置Ａ’に対応する第１対応位置であり、突出位置Ｂは第２位置Ｂ’に対応する第２対応位置である
。
【０２０２】
また、図２２中１点鎖線で示すように、アーム８１０の上端の回動軸８１４の移動軌跡は回動軸８１１を中心とする円弧であるのに対し、ガイド軸８２１の移動軌跡は上下に蛇行する直線状である。すなわち、ガイド軸８２１の移動軌跡と回動軸８１４の移動軌跡とは異なることで、アーム８１０の回転に伴い、ガイド軸８２１が回動軸８１４を中心としてガイド溝８２０に沿って回動するため、後述するように役物８０２は回動軸８１４を中心として首振り（回転）しながら、回動軸８１１を中心に回転する。
【０２０３】
また、第１ガイド部８２０ａは、右端から左側に向けて上方に傾斜するため、内周面下方の第１傾斜面８３０は、アーム８１０の回転によりガイド軸８２１が退避位置Ａから突出位置Ｂに向けて（左方向）に移動する際において上り斜面を構成する。すなわち、ガイド軸８２１が左方向に移動する際に抵抗が付与されるため、アーム８１０が退避位置Ａに到達してアーム８１０の右側面がストッパ片８２４に当接されたときに、その反発力によりアーム８１０が跳ね返ってガイド軸８２１が右端から左方向に移動する力を抑制する。つまり、ガイド軸８２１の左方向への移動を阻害する逆移動阻害部（第１阻害部）を構成している。
【０２０４】
また、第２ガイド部８２０ｂは、右端から左側に向けて下方に傾斜するため、内周面下方の第２傾斜面８３１は、アーム８１０の回転によりガイド軸８２１が突出位置Ｂから退避位置Ａに向けて（右方向）に移動する際において上り斜面を構成する。すなわち、ガイド軸８２１が右方向に移動する際に抵抗が付与されるため、アーム８１０が退避位置Ａに到達する前にアーム８１０の移動速度を抑制して、アーム８１０の右側面がストッパ片８
２４に当接する際の反発力を低減させることにより、アーム８１０が跳ね返ってガイド軸８２１が右端から左方向に移動することを防止する。つまり、ガイド軸８２１の右方向への移動速度を低減する移動速度低減部（第２阻害部）を構成している。
【０２０５】
尚、図２２に示すように、本実施例では、ガイド溝８２０は、回動軸８１４の移動軌跡に対する第１ガイド部８２０ａを移動するガイド軸８２１の移動軌跡の交差角度が、回動軸８１４の移動軌跡に対する第２ガイド部８２０ｂ及び第３ガイド部８２０ｃを移動するガイド軸８２１の移動軌跡の交差角度よりも小さいが、回動軸８１４の移動軌跡に対する第１ガイド部８２０ａを移動するガイド軸８２１の移動軌跡の交差角度が、回動軸８１４の移動軌跡に対する第２ガイド部８２０ｂ及び第３ガイド部８２０ｃを移動するガイド軸８２１の移動軌跡の交差角度よりも大きくすることが好ましく、このようにすることで、ガイド軸８２１が第１位置Ａに到達する前にガイド軸８２１の移動速度を効果的に抑制できる。
【０２０６】
また、第２ガイド部８２０ｂに対し屈曲する第１ガイド部８２０ａは、右下り傾斜状、つまり重力方向に向けて傾斜するように形成されていることで、跳ね返ったガイド軸８２１は上り傾斜を上る必要が生じるため、アーム８１０の跳ね返りを効率よく低減させることができる。
【０２０７】
次に、可動役物ユニット８００の動作態様について、図１及び図２３、図２４にもとづいて説明する。
【０２０８】
可動役物ユニット８００は、図１に示すように、遊技盤６の中央に設けられた演出表示装置９の右側方位置における遊技盤６の背面側に設けられており、その前面側には、遊技盤６に設けられた非透光性を有する装飾部材２５Ｒが配置されている。
【０２０９】
また、可動役物ユニット８００は、役物８０２が演出表示装置９の右側方位置に退避して装飾部材２５Ｒにより隠蔽される退避位置Ａ（図２３（ａ）参照）と、役物８０２が装飾部材２５Ｒの背面から中央側に突出して、演出表示装置９の表示画面に対し前後方向に重畳する突出位置Ｂ（図２４（ｄ）参照）と、の間で往復動可能に設けられている。
【０２１０】
図２３（ａ）に示すように、退避位置Ａにおいてアーム８１０は、その右側面がストッパ片８２４に当接されて略垂直に起立する起立姿勢となり、検出片８２３が役物スイッチ６８により検出されることにより、役物８０２が退避位置Ａに位置していることが特定されるようになっている。また、ガイド軸８２１は、ガイド溝８２０の右端である第１位置
Ａ’に位置していることで、役物８０２は水平姿勢（第１姿勢）に維持されている。
【０２１１】
次いで、役物モータ６７により、アーム８１０が回動軸８１１を中心として正面から見て反時計回りに回転を開始すると、回動軸８１４により軸支された役物８０２も退避位置Ａから突出位置Ｂに向けて移動を開始するとともに、ガイド軸８２１が第１ガイド部８２０ａの第１位置Ａ’から左方向に向けて移動する。このとき、ガイド軸８２１が上り傾斜の第１傾斜面８３０上を摺動しながらやや上昇するため、役物８０２は反時計回りに僅かに傾く（図２３（ｂ）参照）。
【０２１２】
さらにアーム８１０が回転し、ガイド軸８２１が第１屈曲部Ｃ１に到達した後、第２ガイド部８２０ｂ内に移ると、ガイド軸８２１は下り傾斜の第２傾斜面８３１上を摺動しながら下降するため、役物８０２は時計回りに僅かに傾くことで略水平姿勢に復帰する（図
２４（ｃ）参照）。
【０２１３】
なお、図２２に示すように、これら第１ガイド部８２０ａと第２ガイド部８２０ｂとにより略山形に形成されるガイド溝部は、回動軸８１４を中心とする円弧状の移動軌跡に沿うように延設されているため、役物８０２は水平姿勢を大きく崩すことなく、その姿勢を維持したまま反時計回りに移動する。
【０２１４】
また、ガイド軸８２１が第２屈曲部Ｃ２に到達した後（図２４（ｃ）参照）、第３ガイド部８２０ｃ内に移ると、ガイド軸８２１は左方向に移動しながら上昇していく。この第３ガイド部８２０ｃは、図２２に示すように、回動軸８１４を中心とする円弧状の移動軌跡に対して略直交する方向に延びているため、役物８０２は回動軸８１１を中心として反時計回りに移動しながら、回動軸８１４を中心として反時計回りに回転するため、水平姿勢から注ぎ口が傾いていく（図２４（ｄ）参照）。
【０２１５】
そして、アーム８１０が垂直姿勢から所定角度回転し、ガイド軸８２１が第３ガイド部８２０ｃの左端である第２位置Ｂ’に到達して内周面に当接して回動が規制されたときに役物モータ６７の駆動が停止され、役物８０２は突出位置Ｂにて停止することになる。
【０２１６】
次に、役物８０２が突出位置Ｂから退避位置Ａに移動する場合について説明する。突出位置Ｂにおいて、役物モータ６７が駆動してアーム８１０が逆方向、つまり時計回りに回転を開始すると、ガイド軸８２１がガイド溝８２０に沿って移動案内され、役物８０２は回動軸８１１を中心として回転しながら、回動軸８１４を中心として時計回りに回転する
。
【０２１７】
ここで、ガイド軸８２１が第３ガイド部８２０ｃから第２ガイド部８２０ｂに移動して上り傾斜となる第２傾斜面８３１上を滑りながら案内されることにより、アーム８１０に対し負荷がかかるため、アーム８１０の回動速度が低減することになる。すなわち、ガイド軸８２１が右方向に移動する際に抵抗が付与されるため、アーム８１０が退避位置Ａに到達する前にアーム８１０の移動速度を抑制して、アーム８１０の右側面がストッパ片８
２４に当接する際の反発力を低減させることができる。
【０２１８】
次いで、ガイド軸８２１が第２ガイド部８２０ｂから第１ガイド部８０２ａに移動して下り傾斜となる第１傾斜面８３０上を滑り落ちるように移動して第１位置Ａ’に到達する。そして、ガイド軸８２１が第１位置Ａ’に到達したときにアーム８１０の右側面がストッパ片８２４に当接することによりアーム８１０の時計回りの回転が規制され、役物モータ６７の電源がｏｆｆになったとき、アーム８１０がストッパ片８２４に衝突したときに生じる反発力により、アーム８１０が跳ね返って役物８０２が退避位置Ａから突出位置Ｂ側に逆戻りしようとするが、ガイド軸８２１は、第１位置Ａ’から第２位置Ｂ’側に移動する際に上り斜面である第１傾斜面８３０により抵抗が付与されるため、第２位置Ｂ’側への移動が阻害される。あるいは、第２位置Ｂ’側へ僅かに逆戻りしても、役物８０２の自重により再度第１傾斜面８３０上を滑り落ちて第１位置Ａ’に戻される。
【０２１９】
このように、アーム８１０がストッパ片８２４に衝突したときに反発力が生じても、上り斜面である第１傾斜面８３０によりガイド軸８２１の移動に抵抗が付与されることで、役物８０２が退避位置Ａから突出位置Ｂ側に逆戻りしてずれた位置に停止することが防止される。
【０２２０】
また、ガイド軸８２１が第２ガイド部８２０ｂから第１屈曲部Ｃ１を通過して第１ガイド部８２０ａに移動する際に、移動方向が変更されることによりガイド軸８２１に抵抗が付与されることで、アーム８１０の回転速度が低減され、アーム８１０がストッパ片８２４に衝突したときに生じる反発力が小さくなり、これによりアーム８１０がストッパ片８２４に当接したときの反動が抑制されるばかりか、ガイド軸８２１が跳ね返っても第１ガイド部８２０ａから第２ガイド部８２０ｂに移動する際に移動方向が変更され、これによりガイド軸８２１に抵抗が付与されるので、逆方向への移動が阻害される。
【０２２１】
また、ガイド軸８２１が第１位置Ａ’に到達する前に、第２ガイド部８２０ｂを第１位置Ａ’側に移動する際に、上り傾斜となる第２傾斜面８３１によりガイド軸８２１の移動に抵抗が付与されることで、アーム８１０の回転速度が低減され、アーム８１０がストッパ片８２４に衝突したときに生じる反発力が小さくなり、これによりアーム８１０がストッパ片８２４に当接したときの反動が抑制されるので、役物８０２が退避位置Ａから突出位置Ｂ側に逆戻りしてずれた位置に停止することが防止される。
【０２２２】
以上説明したように、本発明の実施例としての可動役物ユニット８００にあっては、防止手段が設けられていることで、役物モータ６７により役物８０２が退避位置Ａに到達した際に、アーム８１０の右側面がストッパ片８２４に当接することで生じる反発力によりガイド軸８２１が第１位置Ａ’から逆戻りすることが防止されることで、役物８０２が退避位置Ａからずれた位置に停止することが防止される。
【０２２３】
特に本実施例では、アーム８１０の先端に役物８０２が回動可能に軸支されており、アーム８１０の回動に伴いガイド軸８２１がガイド溝８２０内を移動することで、役物８０２がアーム８１０の回動軸８１１を中心として回転しながら、回動軸８１１周りに回転（首振り）するため、回動軸８１１周りに回転しながら、回動軸８１４周りに回転するため、役物８０２を複雑に動かすことができる。そして、このように移動部材としてのアーム
８１０と演出装置の一部である役物８０２とが回動可能に連結されているものであっても、回動先端側の役物８０２に設けられたガイド軸８２１の逆移動がガイド溝８２０により阻止されることで、役物８０２の動きを退避位置Ａにて確実に停止させることができる。
【０２２４】
また、アーム８１０は、役物モータ６７の出力軸６７ａに固着された駆動ギヤ８０８に噛合する従動ギヤ８１３の回転により駆動する構造が採用されているが、役物モータ６７の駆動制御処理プログラム等を変更しなくても、ガイド溝８２０とガイド軸８２１とによりアーム８１０の回転速度を退避位置Ａや突出位置Ｂに到達する前に低減することができるばかりか、役物８０２を摺動案内するガイド溝８２０を利用して跳ね返りを防止するので、役物８０２の動きを確実に停止させることができる。
【０２２５】
また、アーム８１０がストッパ片８２４に当接した際に生じる反発力が大きくても、逆移動阻害部である第１傾斜面８３０によりガイド軸８２１の第２位置Ｂ’側への移動を阻害することができるので、アーム８１０がストッパ片８２４に当接した際に生じる反発力を抑制する必要がない。
【０２２６】
また、役物８０２が退避位置Ａに停止する前に第２傾斜面８３１によりアーム８１０の回転速度が低減されることで、アーム８１０がストッパ片８２４に当接した際に生じる反発力が小さくなるため、役物８０２の第１位置Ａ’からの位置ずれを防止できる。
【０２２７】
また、第１位置Ａ’の近傍位置にてガイド軸８２１の移動方向が第１屈曲部Ｃ１により変換されることにより、第１位置Ａ’に到達する直前でガイド軸８２１の移動速度が低減されるばかりか、ガイド軸８２１が跳ね返り逆方向に移動しても、第２ガイド部８２０ｂに移動する際に第１屈曲部Ｃ１により方向が変更されることにより逆移動が阻害されやすくなるので、第１位置Ａ’から大きく離れることを防止できる。
【０２２８】
また、役物８０２が退避位置Ａに停止する直前に、第１屈曲部Ｃ１にてガイド軸８２１の移動方向が変更されることで、役物８０２が不自然な動きをする（姿勢が微動するなど）ことになっても、退避位置Ａにおいて、役物８０２は装飾部材２５Ｒにより前方から視認不能に隠蔽されているため（図１参照）、遊技者に違和感を与えることが防止される。
【０２２９】
次に、本発明の変形例１としての可動役物ユニット１８００について説明する。図２５は、本発明の変形例１としての可動役物ユニットを示す図である。
【０２３０】
可動役物ユニット１８００は、ベース部材１８０１と、ベース部材１８０１に対し可動自在に設けられた役物１８０２（図中点線で示すハート型の部材）と、役物１８０２を駆動する駆動機構１８０３と、から主に構成されている。駆動機構１８０３は、ベース部材１８０１に対して回動軸１８０４を介して左端を中心として回動可能に設けられるとともに、右端に長孔１８０８が形成されたアーム１８０５と、図示しないモータにより駆動される駆動ギヤ１８０９と、から主に構成される。長孔１８０８には、役物１８０２が取り付けられる取付部材１８０７の上部に突設された連結軸１８０６が長手方向に摺動可能に嵌挿され、アーム１８０５と連結されている。
【０２３１】
また、アーム１８０５の長手方向の中央位置には長孔１８１０が形成されており、該長孔１８１０内には、駆動ギヤ１８０９の偏心位置に突設された連結軸１８１１が長手方向に摺動可能に嵌挿され、アーム１８０５と連結されている。また、アーム１８１０の長孔１８１０近傍位置には、上端がベース部材１８０１に取り付けられた引張りバネ１８１２の下端が取り付けられており、常時上方に付勢されている。
【０２３２】
取付部材１８０７には、上下方向を向く左右一対のガイド溝１８１４が延設されており
、ベース部材１８０１の下部に突設された左右一対のガイド軸１８１３が嵌挿されている。ガイド溝１８１４は、上下方向に延びる直線部１８１４ａと、直線部１８１４ａの下端から連設された短寸の湾曲部１８１４ｂと、から構成されている。
【０２３３】
このように構成された可動役物ユニット１８００は、図示しないモータの駆動により駆動ギヤ１８０９が回転することにより、ベース部材１８０１に対して役物１８０２が正面に位置する上昇位置（図２５（ａ）参照）と、ベース部材１８０１に対して役物１８０２が下方に位置する下降位置（図２５（ｃ）参照）と、の間で昇降可能に設けられている。
【０２３４】
図２５（ａ）に示すように、上昇位置において、アーム１８０５は、右端が回動軸１８
０４よりも上方に位置するように右上がり傾斜状態となり、連結軸１８１１は、駆動ギヤ１８０９の回動軸１８０９ａを通過する上向きの垂線Ｐよりもやや左側にずれた位置に配置される。この状態において、回動軸１８０９ａと連結軸１８１１とを通過する直線が長孔１８１０の周縁上部に対して略直交する状態となるため、アーム１８０５に役物１８０２の荷重がかかったときに、連結軸１８１１が長孔１８１０の端部に当接されることにより回動が規制、つまりロックされることで、図示しないモータを停止しても駆動ギヤ１８０９が回転することはないため、アーム１８０５の下降が規制される。言い換えると、役物１８０２やアーム１８０５に何らかの力が加わっても、モータの駆動軸が回転してしまうことがない。また、取付部材１８０７は、ガイド溝１８１４の下端にガイド軸１８１３が位置するように配置されている。
【０２３５】
また、アーム１８０５は、引張りバネ１８１２により上方に向けて付勢されている。具体的には、ベース部材１８０１の前面側に設けられる役物１８０２と取付部材１８０７とを含む全ての部材の自重により引張りバネ１８１２にかかる下向きの力Ｆ２に対し、引張りバネ１８１２によって役物１８０２及び取付部材１８０７にかかる上向きの力Ｆ１の方が小さくなるように設定されている（Ｆ１＜Ｆ２）。
【０２３６】
つまり、引張りバネ１８１２にかかる上向きの力Ｆ１よりも役物１８０２及び取付部材１８０７にかかる下向きの力Ｆ２の方が大きいことで、引張りバネ１８１２の付勢力によって役物１８０２が上昇することがないようにしている。なお、上昇位置においても、引張りバネ１８１２は完全に縮小せずに若干の収縮力が残されていることで、上昇位置に配置されたときにも付勢力が働き、これにより上昇位置において連結軸１８１１にかかる荷重が僅かに軽減されるため、アーム１８０５の回転時にモータにかかる負荷を軽減することができる。
【０２３７】
次いで、図示しないモータにより駆動ギヤ１８０９が時計回りに回転を始めると、図２５（ｂ）に示すように、連結軸１８１１は回動軸１８０９ａの直上位置まで僅かに上昇したのち、頂部を乗り越えて下降を開始する。これに伴い、アーム１８１０の先端が回動軸１８０４を中心に回転して下降し始める。これにより、引張りバネ１８１２はアーム１８
１０により下方に向けて引張られることでバネの付勢力も高まっていくが、引張りバネ１８１２にかかる下向きの力Ｆ２に対し、引張りバネ１８１２によって役物１８０２及び取付部材１８０７にかかる上向きの力Ｆ１の方が小さいことから、下降途中で引張りバネ１８１２にかかる下向きの力Ｆ２と役物１８０２及び取付部材１８０７にかかる上向きの力Ｆ１とが釣り合うことがないので、常に連結軸１８０６が長孔１８０８の下端縁を下方に向けて付勢する状態が続く。
【０２３８】
なお、ステッピングモータからなるモータは、役物１８０２及び取付部材１８０７を上昇および下降させるのに必要なトルクを有しているため、下降させる際に、役物１８０２及び取付部材１８０７の荷重に負けて一気に落下されることはない。
【０２３９】
図２５（ｃ）に示すように、下降位置において、アーム１８０５は、右端が回動軸１８
０４よりも下方に位置するように右下がり傾斜状態となり、連結軸１８１１は、駆動ギヤ１８０９の回動軸１８０９ａを通過する下向きの垂線Ｐ上、つまり駆動ギヤ１８０９の最下位置に配置される。また、取付部材１８０７は、ガイド溝１８１４の上端にガイド軸１
８１３が位置するように配置される。
【０２４０】
引張りバネ１８１２は、アーム１８０５により下方に向けて引っ張られることで付勢力も最大値になるが、このように付勢力が最大値となる下降位置においても、引張りバネ１８１２にかかる下向きの力Ｆ２に対し、引張りバネ１８１２によって役物１８０２及び取付部材１８０７にかかる上向きの力Ｆ１の方が小さいことから、例えば下降位置においてモータが停止された場合等において、役物１８０２及び取付部材１８０７が引張りバネ１
８１２の付勢力によって下降位置から浮き上がることが防止される。
【０２４１】
すなわち、アーム１８０５により下方に向けて引っ張られることで付勢力が最大値となる下降位置において、引張りバネ１８１２にかかる下向きの力Ｆ２に対し、引張りバネ１８１２によって役物１８０２及び取付部材１８０７にかかる上向きの力Ｆ１の方が小さいことから、例えば中間位置や上昇位置においても、Ｆ１＜Ｆ２の関係が変わることがなく、昇降途中においてＦ１とＦ２とが釣り合う遊び区間が存在しないので、昇降動作が一時的に停止することが防止される。
【０２４２】
このように構成された可動役物ユニット１８００にあっては、役物１８０２が下降位置から上昇位置まで移動され、上昇位置に到達する直前に、ガイド軸１８１３が直線部１８
１４ａから湾曲部１８１４ｂに差し掛かる際に移動方向が変更されることで、役物１８０
２の上昇スピードが抑制されるため、上昇位置においてガイド軸１８１３がガイド溝１８１４の端部に当接規制され、その反発力により役物１８０２が下降位置に向けて逆戻りすることが防止される。
【０２４３】
また、一端が回動可能に軸支されたアーム１８０５を、該アーム１８０５の回動軸１８０４と平行に設けられた回動軸１８０９ａ周りを周回可能に設けられた連結軸１８１１に連結することにより揺動させる構造が採用されていることで、アーム１８０５は、上昇位置及び下降位置近傍では、中間位置辺りに比べて駆動ギヤ１８０９の回転に伴う昇降ストロークが小さくなる。これにより、上昇位置や下降位置手前においてアーム１８０５の移動速度が抑制されるため、特に上昇位置においてアーム１８０５が跳ね返って役物１８０
２が上昇位置から僅かに下降してずれた位置に停止することが防止される。
【０２４４】
また、本発明は、前記実施例のように、役物８０２を左右方向に往復動させるものに限定されるものではなく、本変形例１のように、役物１８０２を上下方向に往復動させるものにも適用可能である。
【０２４５】
また、前記実施例では、ベース部材にガイド溝が形成され、役物にガイド軸が形成されていたが、本変形例１のように、ベース部材１８０１側にガイド軸１８０６が形成され、役物１８０２側にガイド溝１８１４が形成されていても、同様の作用・効果が得られる。
【０２４６】
次に、本発明の変形例２としての可動役物ユニット２８００について説明する。図２６は、本発明の変形例２としての可動役物ユニットを示す図である。
【０２４７】
可動役物ユニット２８００は、ベース部材２８０１と、ベース部材２８０１に対し可動自在に設けられた役物２８０２と、役物２８０２を駆動する駆動機構２８０３と、から主に構成されている。駆動機構２８０３は、モータ２８０４と、ベース部材２８０１に設けられ、モータ２８０４により駆動する駆動プーリ２８０５と、該駆動プーリ２８０５に連動する従動プーリ２８０６と、駆動プーリ２８０５と従動プーリ２８０６とに掛け渡されたベルト２８０７と、ベルト２８０７の所定箇所に連結され、演出表示装置９の右側方に上下方向に延設されたガイド棒２８０８に沿って昇降する移動部材２８０９と、から構成され、モータ２８０４によりベルト２８０７が回転することで、移動部材２８０９が上下に昇降するようになっている。移動部材２８０９からは連結棒２８１０が延設され、その先端には、役物２８０２が前後方向を向く軸部材２８１１周りに回動可能に軸支されている。
【０２４８】
また、役物２８０２の上部には、ガイド軸２８１３が後向きに突設されており、ベース部材２８０１に形成された上下方向に延びるガイド溝２８１４に嵌挿されている。ガイド溝２８１４は、上下方向に延びる直線部２８１４ａと、直線部２８１４ａの上端から連設された短寸の湾曲部２８１４ｂと、から構成されている。
【０２４９】
このように構成された可動役物ユニット２８００にあっては、役物２８０２が下降位置から上昇位置まで移動され、上昇位置に到達する直前に、ガイド軸２８１３が直線部２８１４ａから湾曲部２８１４ｂに差し掛かる際に移動方向が変更されることにより役物２８
０２の上昇スピードが抑制されるため、上昇位置においてガイド軸２８１３がガイド溝１８１４の端部に当接規制されたときの反発力が抑制され、これにより役物１８０２が下降位置に向けて逆戻りすることが防止される。
【０２５０】
また、前記実施例や前記変形例１のように、役物は一端を中心とするアームの先端に取り付けられて揺動するものに限定されるものではなく、本変形例２のように、直線状に往復移動可能に設けられた移動部材に取り付けられていてもよい。つまり、役物を移動する移動手段は、本実施例や変形例１，２に記載のものに限定されるものではなく、種々に変更可能である。  
【０２５１】
次に、ガイド溝の変形例について説明する。図２７は、（ａ）〜（ｅ）は、ガイド溝の変形例を示す図である。なお、以下の変形例においては、役物が退避位置Ａに位置したときにガイド溝の右端（第１位置Ａ’）にガイド軸が停止されるものであることを前提として説明することとし、詳細な部位の説明は省略する。
【０２５２】
図２７（ａ）に示すガイド溝１９００は、左右方向に略水平に設けられた直線部１９０
０ａと、直線部１９００ａの右端部から連設された上向きに湾曲する湾曲部１９００ｂと、から構成されている。前記実施例のガイド溝８２０の第１ガイド部８２０ａは下向きに傾斜して設けられていたため、右端に位置したときにガイド軸８２１の逆移動を阻害する阻害部を形成するものであったが、図２７（ａ）の場合、湾曲部１９００ｂは逆移動が下降になるので、右端に向けて移動する際のガイド軸１９０１の移動速度を低減する移動速度低減部を構成する。
【０２５３】
図２７（ｂ）に示すガイド溝１９１０における右端近傍位置には、ガイド軸１９０１が右方向に移動するときよりも、左方向に向けて移動するときの方が大きな抵抗が付与されるように、右方向に向けて傾倒する複数の弾性係止片からなる弾性部材１９１１が設けられている。この弾性部材１９１１は、例えばゴム材等により弾性変形可能な素材にて構成され、ガイド軸１９０１に接触可能なガイド溝１９１０の内周面（接触部）に設けられているため、ガイド軸１９０１が右方向に移動する際は移動速度を低減する移動速度低減部を構成する。また、ガイド軸１９０１が左方向に移動する際は移動を阻害するため移動を阻害する移動阻害部を構成する。
【０２５４】
また、ここでは弾性部材１９１１がベース部材とは異なる材質にて形成されていたが、ベース部材に形成されたガイド溝９１０の内周面に沿って凹凸部（粗面）を形成して移動阻害部や移動速度低減部を構成してもよい。このように、ガイド軸８２１に対して摩擦抵抗を付与可能な形状であれば、凹凸部の形状等は種々に変更可能である。尚、このような凹凸部は、ガイド溝の内周面（ガイド軸との接触部）における第１位置Ａ’以外の箇所にも形成してもよいが、その他の箇所よりも粗く形成されていればよい。
【０２５５】
図２７（ｃ）に示すガイド溝１９２０における右端近傍位置には、ガイド軸１９０１が右方向に移動するときも左方向に向けて移動するときも所定の抵抗が付与されるように、内方に向けて山形に突設された上下一対の弾性部材１９２１が設けられている。この弾性部材１９２１は、例えばゴム材等により弾性変形可能な素材にて構成されているため、右方向に移動する際は移動速度を低減する移動速度低減部を構成する。また、左方向に移動する際は移動を阻害するため移動を阻害する移動阻害部を構成する。
【０２５６】
尚、ここではガイド軸１９０１との摺動時に生じる摩擦抵抗を大とするために、ガイド溝の内周面をゴム材により構成したが、例えばガイド溝の内周面を粘着材等からなる粘性層にて構成することにより、ガイド軸８２１の移動に抵抗を付与するようにしてもよい。
【０２５７】
図２７（ｄ）に示すガイド溝１９３０における右端近傍位置には、ガイド軸１９０１がガイド溝１９３０の内周縁右端部との接触時に生じる衝撃を低減されるように、右端部近傍位置から右端部にかけて内周縁に沿って延設けられた弾性部材１９３１が設けられている。この弾性部材１９３１は、例えばゴム材等により弾性変形可能な素材にて構成され、衝撃を吸収できるため、右方向に移動する際は移動速度を低減する移動速度低減部を構成する。また、左方向に移動する際は移動を阻害するため移動を阻害する移動阻害部を構成する。
【０２５８】
図２７（ｅ）に示すガイド溝１９４０における右端位置には、ガイド軸１９０１がガイド溝１９３０の右端部に当接規制されたときに生じる衝撃により、ガイド軸１９０１が逆戻りしないように、ガイド軸１９０１に設けられる磁性体１９４１を吸引可能な磁石１９４２が設けられている。この磁性体１９４１と磁石１９４２は、左方向に移動する際に磁力により抵抗を付与して移動を阻害する移動阻害部を構成する。尚、磁石１９４２はガイド溝１９４０の右端の上縁部または下縁部に設けてもよい。
【０２５９】
また、特に図示はしないが、例えばガイド溝１９３０の幅寸法を、第１位置に向けて漸次短寸化する、つまり幅狭にしていくようにしてもよく、このようにすることで、ガイド溝１９０１が右端の第１位置Ａ’に近づくにつれて徐々に摩擦抵抗が大となるため、ガイド軸１９２１の移動速度を少しずつ低減することができる。
【０２６０】
このように、防止手段は、ガイド溝に設けられ、ガイド軸に接触することにより該ガイド軸８２１に摩擦抵抗を付与することにより速度を抑制または第１位置Ａ’からの逆戻りが防止されるものであれば、形状や材質は問われるものではない。
【０２６１】
以上、本発明の実施例を図面により説明してきたが、具体的な構成はこれら実施例に限られるものではなく、本発明の要旨を逸脱しない範囲における変更や追加があっても本発明に含まれる。
【０２６２】
例えば、前記実施例では、役物８０２の移動を案内する案内手段は、ガイド軸８２１とガイド溝８２０とにより構成されていたが、ガイド軸８２１をアーム８１０の回転方向に沿って案内できるものであれば、ガイド溝８２０ではなく、ガイドレール等により摺動案内するようにしてもよい。つまり、ガイド溝８２０の内周面やガイドレールの内側面等の案内面を構成するものであれば、レールや溝に限定されるものではない。
【０２６３】
また、前記実施例では、駆動源としてモータが適用されていたが、ソレノイド等の他の駆動源としてもよいし、また、駆動手段もギヤに限定されるものではなく種々に変更可能である。
【０２６４】
また、前記実施例では、役物８０２を移動させる際のアーム８１０の回動軸８１４の軌道とガイド軸８２１の軌道（ガイド溝８２０）とは異なっていたが、例えばガイド溝８２０をアーム８１０の回動軸８１４の軌道と同じ、つまり回動軸８１１の同心円弧としてもよく、この場合、第１位置Ａ’の近傍に図２７（ｂ）〜（ｅ）に示す防止手段を設ければよい。
【０２６５】
また、前記実施例では、役物８０２が退避位置Ａに対応する第１位置Ａ’に防止手段が設けられていたが、本発明はこれに限定されるものではなく、突出位置Ｂにのみ防止手段を設けてもよいし、突出位置Ｂ及び退避位置Ａの双方に防止手段を設けてもよい。
【０２６６】
また、前記実施例では、移動部材の一部であるアーム８１０の回動に伴い、ガイド溝８２０とガイド軸８２１により移動案内されながら移動部の役物８０２も退避位置Ａと突出位置Ｂとの間で移動するようになっていたが、例えば役物８０２がベース部材８１０に対して可動可能に設けられ、ガイド軸８２１が第１位置Ａ’と第２位置Ｂ’との間を変位することにより態様が変化するものであれば、必ずしも移動部材であるアーム８１０の移動に応じて退避位置Ａと突出位置Ｂとの間で移動しなくても、例えば所定の回転軸に設けられる軸部材を中心として回転したり、あるいは一部が変形するもの等も含まれる。
【０２６７】
また、前記実施例では、遊技媒体の一例として、球状のパチンコ球（遊技球）が適用されていたが、球状の遊技媒体に限定されるものではなく、例えばメダル等の非球状の遊技媒体であってもよい。
【０２６８】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンにも適用可能である。
【符号の説明】
【０２６９】
１              パチンコ遊技機
６              遊技盤
８００          可動役物ユニット
８０１          ベース部材
８０２          役物
８０３          駆動機構
８０４          取付部材
８１０          アーム
８１１，８１４  回動軸
８２０          ガイド溝
８２０ａ        第１ガイド部
８２０ｂ        第２ガイド部
８２０ｃ        第３ガイド部
８２１          ガイド軸
８２４          ストッパ片
８３０          第１傾斜面
８３１          第２傾斜面
【図１】
0005976901.tif 000002
【図２】
0005976901.tif 000003
【図３】
0005976901.tif 000004
【図４】
0005976901.tif 000005
【図５】
0005976901.tif 000006
【図６】
0005976901.tif 000007
【図７】
0005976901.tif 000008
【図８】
0005976901.tif 000009
【図９】
0005976901.tif 000010
【図１０】
0005976901.tif 000011
【図１１】
0005976901.tif 000012
【図１２】
0005976901.tif 000013
【図１３】
0005976901.tif 000014
【図１４】
0005976901.tif 000015
【図１５】
0005976901.tif 000016
【図１６】
0005976901.tif 000017
【図１７】
0005976901.tif 000018
【図１８】
0005976901.tif 000019
【図１９】
0005976901.tif 000020
【図２０】
0005976901.tif 000021
【図２１】
0005976901.tif 000022
【図２２】
0005976901.tif 000023
【図２３】
0005976901.tif 000024
【図２４】
0005976901.tif 000025
【図２５】
0005976901.tif 000026
【図２６】
0005976901.tif 000027
【図２７】
0005976901.tif 000028